(57)【要約】      （修正有）【課題】マルチキャリアワイヤレスネットワーク展開においてユーザ機器モビリティを可能にする。【解決手段】モバイルセル選択に関係するデータは、無線でまたはワイヤードバックホールを介して異なるキャリア周波数上で動作している基地局の間で共有され、基地局によってサービスされるモバイル端末に基地局によって配信される。データは、キャリア間関連付けデータ用に予約されたワイヤレスチャネルを介して配信される。データは、基地局によってサービスされる特定のモバイル端末にユニキャストされ得る。これにより、個々のモバイル端末が、キャリア間関連付けまたはハンドオーバ判断のために非サービングキャリアにチューンアウェイする必要を低減または回避できる。【選択図】図１
2014222914.tif 000002
【特許請求の範囲】
【請求項１】
ワイヤレス通信の方法であって、
基地局によって採用される第１のキャリア周波数上で動作しているモバイル端末をサービスするために前記第１のキャリア周波数に関係するセル選択データを取得することと、
前記第１のキャリア周波数に関係するキャリア間ハンドオーバ判断を可能にするために、第２の基地局によって採用される第２のキャリア周波数上で動作しているモバイル端末に前記セル選択データを送信することと
を備える、方法。
【請求項２】
セル選択データを送信することは、前記第２のキャリア周波数上で、または前記第２のキャリア周波数上で動作しているモバイル端末がそれを捕捉するように構成された前記第１のキャリア周波数のチャネル上で前記セル選択データを送信するために前記第２の基地局を採用することをさらに備える、
請求項１に記載の方法。
【請求項３】
セル選択データを送信することは、前記基地局のワイヤレストランシーバを前記第２のキャリア周波数にチューンさせることと、前記第２のキャリア周波数上で前記セル選択データを送信することとをさらに備える、
請求項１に記載の方法。
【請求項４】
セル選択データを送信することは、前記第１のキャリア周波数に関係する、
セルまたはキャリア負荷情報、
電力クラス情報、
限定加入者グループ（ＣＳＧ）情報、
アンカーキャリア情報、
完全または部分セル識別情報、
アップリンク（ＵＬ）またはダウンリンク（ＤＬ）上の、前記第１のキャリア周波数、またはそのサブバンド、チャネルもしくはハイブリッド自動再送要求インターレース（ＨＡＲＱインターレース）の、番号、または識別子、
前記第１のキャリア周波数上で典型的なモバイル端末に割り振られるリソースの一部分、
前記第１のキャリア周波数、またはその前記サブバンド、前記チャネルもしくは前記ＨＡＲＱインターレースの干渉レベル、
前記ＤＬまたは前記ＵＬ上でのデータレート、
サービス品質保証（ＱｏＳ保証）、
バックホール帯域幅、
実効等方放射電力、
最大電力増幅器出力電力、
受信機雑音指数、あるいは
基地局バッテリー電力レベル
のうちの少なくとも１つを送信することをさらに備える、請求項１に記載の方法。
【請求項５】
前記セル選択データを送信することは、キャリア間セル選択データのために利用される前記第１のキャリア周波数または前記第２のキャリア周波数のチャネルを採用することをさらに備える、
請求項１に記載の方法。
【請求項６】
前記セル選択データを送信することは、パイロットチャネル、制御チャネル、ブロードキャストチャネル、プリアンブルチャネルまたはデータチャネルを採用することをさらに備える、
請求項５に記載の方法。
【請求項７】
前記パイロットチャネルが同期チャネルまたはビーコンチャネルを備えること、
前記制御チャネルが物理ダウンリンク制御チャネルを備えること、
前記ブロードキャストチャネルまたは前記プリアンブルチャネルが物理ブロードキャストチャネルを備えること、あるいは
前記データチャネルが物理ダウンリンク共有チャネルを備えることのうちの少なくとも１つを備える、
請求項６に記載の方法。
【請求項８】
前記チャネルは、前記第１のキャリア周波数に割り当てられた別個の周期性を用いて送信する低再使用チャネルを備える、
請求項５に記載の方法。
【請求項９】
前記第１のキャリア周波数上で動作している前記モバイル端末のうちの１つから前記第２のキャリア周波数に関係するセル選択データを受信することをさらに備える、
請求項１に記載の方法。
【請求項１０】
前記第１のキャリア周波数に関係する、送信エネルギーメトリック、パスロスメトリック、実効ジオメトリメトリック、予想データレートメトリックまたは制御チャネル信頼性メトリックを計算すること、またはそれらを前記モバイル端末のうちの１つから取得することをさらに備える、
請求項９に記載の方法。
【請求項１１】
少なくとも部分的に、前記第１のキャリア周波数上で動作している前記モバイル端末のうちの前記１つが前記第２のキャリア周波数へのハンドオーバを行うべきかどうかを判断するために、前記第２のキャリア周波数に関係する前記セル選択データを採用することをさらに備える、
請求項９に記載の方法。
【請求項１２】
ワイヤレス通信のために構成された装置であって、
ワイヤード電子通信と、少なくともサービングキャリア上でのワイヤレス電子通信とのための通信インターフェースと、
ワイヤレスネットワーク内でキャリア間モビリティを可能にするように構成された命令を記憶するためのメモリと、
前記命令を実装するためにモジュールを実行するためのデータプロセッサと
を備え、前記モジュールは、
非サービングキャリアに関与するモバイルハンドオーバ決定に関係するモビリティ情報のセットを取得する捕捉モジュールと、ここで、前記非サービングキャリアと前記サービングキャリアとは、前記ワイヤレスネットワーク内の別個の周波数である、
前記サービングキャリア上で動作しているユーザ機器（ＵＥ）のためのセル選択を可能にするために前記モビリティ情報のセットのうちの少なくともサブセットを送信するブロードキャストモジュールと
を備える、装置。
【請求項１３】
前記通信インターフェースは、前記サービングキャリア上で動作している基地局（サービング基地局）を前記非サービングキャリア上で動作している第２の基地局（非サービング基地局）と結合するバックホールリンクへの電子インターフェースを備え、
前記捕捉モジュールは、前記バックホールリンクを介して前記非サービング基地局から前記モビリティ情報のセットを取得する、
請求項１２に記載の装置。
【請求項１４】
前記通信インターフェースは、少なくとも前記非サービングキャリア上でのワイヤレス通信のために構成され、さらに、
前記捕捉モジュールは、前記非サービングキャリア上でのアップリンク送信から前記モビリティ情報のセットを取得するか、または
前記捕捉モジュールは、前記非サービングキャリアを採用するワイヤレスバックホールリンク上で非サービング基地局から前記モビリティ情報のセットを取得する、
請求項１２に記載の装置。
【請求項１５】
前記非サービングキャリア上でのダウンリンク信号のメトリックを計算するために前記モビリティ情報のセットのうちの少なくとも第２のサブセットを採用する計算モジュールをさらに備える、
請求項１２に記載の装置。
【請求項１６】
前記ダウンリンク信号の前記メトリックは、
前記ダウンリンク信号の送信エネルギーを示す送信エネルギーメトリック、
前記ＵＥと前記ダウンリンク信号を送信するエンティティとの間のチャネル利得を示すパスロス、
前記ＵＥにおける前記ダウンリンク信号の受信品質を示す実効ジオメトリメトリック、
前記ＵＥの達成可能なまたはサポートされるデータレートを示す予想データレート、または
前記非サービングキャリア上での制御チャネルの信頼性を示す制御チャネル信頼性メトリック
のうちの少なくとも１つを備える、請求項１５に記載の装置。
【請求項１７】
前記メトリックの計算を可能にするために前記ダウンリンク信号の測定値をサブミットするように前記ＵＥに命令するクエリモジュールをさらに備える、
請求項１５に記載の装置。
【請求項１８】
前記モビリティ情報のセットのうちの前記サブセットは、前記ＵＥにおいてハンドオーバ決定を可能にするために前記ダウンリンク信号の前記メトリックを少なくとも部分的に備える、
請求項１５に記載の装置。
【請求項１９】
前記モビリティ情報のセットのうちの前記サブセットは、非サービングワイヤレスチャネルのメトリックを計算するために前記ＵＥによって採用される前記非サービングキャリアに関係するデータを含み、前記メトリックは、前記非サービングキャリアに関係するモビリティ決定において前記ＵＥによって利用される、
請求項１２に記載の装置。
【請求項２０】
前記ＵＥが前記非サービングキャリアへのハンドオーバを行うべきかどうかを判断するために前記非サービングキャリアのメトリックを採用するモビリティモジュールをさらに備える、
請求項１２に記載の装置。
【請求項２１】
前記モビリティ情報のセットのうちの前記サブセットは、前記非サービングキャリアへの前記ハンドオーバを行うためのオーダーを少なくとも部分的に備える、請求項２０に記載の装置。
【請求項２２】
前記捕捉モジュールは、前記非サービングキャリアに関係するモビリティ情報を周期的に取得し、前記ブロードキャストモジュールは、前記モビリティ情報を前記非サービングキャリアに固有のレートで周期的に送信する、
請求項１２に記載の装置。
【請求項２３】
ワイヤレス通信のために構成された装置であって、
第１のキャリア周波数上で動作している第１の基地局からセル選択データのセットを取得するための手段と、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信するための手段と
を備える装置。
【請求項２４】
ワイヤレス通信のために構成された少なくとも１つのプロセッサであって、
第１のキャリア周波数上で動作している第１の基地局からセル選択データのセットを取得するためのモジュールと、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信するためのモジュールと
を備える少なくとも１つのプロセッサ。
【請求項２５】
第１のキャリア周波数上で動作している第１の基地局からセル選択データのセットを取得することをコンピュータに行わせるためのコードと、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信することを前記コンピュータに行わせるためのコードと
を備える、コンピュータ可読媒体を備える、
コンピュータプログラム製品。
【請求項２６】
ワイヤレス通信の方法であって、
隣接ワイヤレスキャリアに関係するデータのセットを取得することと、
サービングワイヤレスキャリアから前記隣接ワイヤレスキャリアにハンドオーバすべきかどうかを判断することに関連して、モバイルデバイスによって利用される前記サービングワイヤレスキャリアに関係する品質またはパフォーマンス情報を取得するか、あるいはそれを計算するためにデータプロセッサを採用することと
を備える、方法。
【請求項２７】
前記品質またはパフォーマンス情報を取得することは、キャリア間情報のために割り当てられた前記サービングワイヤレスキャリア上の所定のチャネルにチューンすることをさらに備える、
請求項２６に記載の方法。
【請求項２８】
前記品質またはパフォーマンス情報を取得することは、前記データのセットのうちの少なくともサブセットを取得するために前記隣接ワイヤレスキャリアにチューンすることをさらに備える、
請求項２６に記載の方法。
【請求項２９】
キャリア間情報のために割り当てられた前記隣接ワイヤレスキャリアの所定のチャネルにチューンすることをさらに備える、
請求項２８に記載の方法。
【請求項３０】
前記隣接ワイヤレスキャリアの前記所定のチャネルにチューンすることは、前記チューンを実行するためのコマンドをサービング基地局から受信することをさらに備える、
請求項２９に記載の方法。
【請求項３１】
少なくとも部分的に、前記サービングワイヤレスキャリアから前記隣接ワイヤレスキャリアへのハンドオーバを行うべきかどうかを判断するために、前記隣接ワイヤレスキャリアに関係する品質またはパフォーマンス情報セットを捕捉するために前記データのセットを採用することをさらに備える、
請求項２６に記載の方法。
【請求項３２】
前記品質またはパフォーマンス情報セットを捕捉するために前記データのセットを採用することは、前記隣接ワイヤレスキャリアに関係する、送信エネルギーメトリック、パスロス、実効ジオメトリ、予想データレートまたは制御チャネル信頼性メトリックを計算することをさらに備える、
請求項３１に記載の方法。
【請求項３３】
前記計算の結果に少なくとも部分的に基づいて前記隣接ワイヤレスキャリアへのハンドオーバを行うべきかどうかを判断することをさらに備える、
請求項３２に記載の方法。
【請求項３４】
前記隣接ワイヤレスキャリアの分析および前記サービングワイヤレスキャリアとの比較のために前記データのセットをサービング基地局にフォワーディングすることをさらに備える、
請求項３１に記載の方法。
【請求項３５】
前記データのセットをフォワーディングすることに応答して前記隣接ワイヤレスキャリアへのハンドオーバを実行するための命令を取得することをさらに備える、
請求項３４に記載の方法。
【請求項３６】
前記データのセットを取得することに関連して、前記データのセットの送信に関連する周期性を採用することをさらに備える、
請求項２６に記載の方法。
【請求項３７】
ワイヤレス通信のために構成された装置であって、
複数のワイヤレスキャリア上でワイヤレス信号を受信するためのワイヤレス通信インターフェースと、
ワイヤレスネットワーク内でキャリア間モビリティを可能にするように構成された命令を記憶するためのメモリと、
前記命令を実装するためにモジュールを実行するためのデータプロセッサと、
を備え、前記モジュールは、
非サービングキャリアに関与するモバイルハンドオーバ決定に関係するセル選択データセットを取得するために、前記ワイヤレス通信インターフェースを捕捉チャネルにチューンさせる捕捉モジュールと、
少なくとも部分的に、サービングキャリアから前記非サービングキャリアへのハンドオーバを実行すべきかどうかを判断するために、前記セル選択データセットを採用する決定モジュールと
を備える、装置。
【請求項３８】
前記捕捉モジュールは、前記サービングキャリア上で動作しているサービング基地局からコマンドを受信すると、前記捕捉チャネルにチューンする、
請求項３７に記載の装置。
【請求項３９】
前記捕捉チャネルは、前記サービングキャリア上のサービングチャネルまたは前記非サービングキャリア上の非サービングチャネルである、
請求項３７に記載の装置。
【請求項４０】
前記セル選択データセットは、前記非サービングキャリアのワイヤレスチャネルに関係する条件が満たされた場合、前記非サービングキャリアへの前記ハンドオーバを実行するように前記装置に命令する、サービング基地局からのハンドオーバコマンドを少なくとも部分的に含む、
請求項３７に記載の装置。
【請求項４１】
前記条件が満たされたかどうかを判断するために前記ワイヤレスチャネルの特性を分析する測定モジュールを備え、前記条件が満たされた場合、前記決定モジュールは、前記ハンドオーバを実行することを判断する、
請求項４０に記載の装置。
【請求項４２】
前記ワイヤレスチャネルの前記特性がしきい値を超えた場合、前記条件が満たされ、前記特性は、
前記ワイヤレスチャネルのダウンリンク信号の送信エネルギー、
前記ワイヤレスチャネルのパスロス、
前記ワイヤレスチャネルの実効ジオメトリ、
前記ワイヤレスチャネルの予想データレート、または
前記ワイヤレスチャネルの制御チャネル信頼性、またはそれらの組合せ
のうちの少なくとも１つを備える、請求項４１に記載の装置。
【請求項４３】
前記ワイヤレスチャネルの前記特性は、前記セル選択データセットの一部として指定される、
請求項４１に記載の装置。
【請求項４４】
前記ハンドオーバを実行すべきかどうかを判断することを可能にするために前記セル選択データセットから前記非サービングキャリアの特性を計算する分析モジュールをさらに備え、前記セル選択データセットは、前記非サービングキャリアに関係し、
セルまたはキャリア負荷情報、
電力クラス情報、
限定加入者グループ（ＣＳＧ）情報、
アンカーキャリア情報、
完全または部分セル識別情報、
アップリンク（ＵＬ）またはダウンリンク（ＤＬ）上の、前記非サービングキャリア、またはそのサブバンド、チャネルもしくはハイブリッド自動再送要求インターレース（ＨＡＲＱインターレース）の、番号、または識別子、
前記非サービングキャリア上で典型的なモバイル端末に割り振られるリソースの一部分、
前記非サービングキャリア、またはその前記サブバンド、前記チャネルもしくは前記ＨＡＲＱインターレースの干渉レベル、
前記ＤＬまたは前記ＵＬ上でのデータレート、
サービス品質保証（ＱｏＳ保証）、
バックホール帯域幅、
実効等方放射電力、
最大電力増幅器出力電力、
受信機雑音指数、あるいは
基地局バッテリー電力レベル
のうちの少なくとも１つを備える、請求項３７に記載の装置。
【請求項４５】
前記捕捉チャネルは、パイロットチャネル、制御チャネル、ブロードキャストチャネル、プリアンブルチャネル、データチャネル、またはそれらの組合せを備える、
請求項３７に記載の装置。
【請求項４６】
前記パイロットチャネルが同期チャネルまたはビーコンチャネルを備えること、
前記制御チャネルが物理ダウンリンクチャネルを備えること、
前記ブロードキャストチャネルまたは前記プリアンブルチャネルが物理ブロードキャストチャネルを備えること、あるいは
前記データチャネルが物理ダウンリンク共有チャネルを備えること
のうちの少なくとも１つを備える、請求項４５に記載の装置。
【請求項４７】
前記非サービングキャリアに関連する特定の期間に前記捕捉チャネルにチューンするように前記捕捉モジュールに命令するタイミングモジュールをさらに備える、
請求項３７に記載の装置。
【請求項４８】
ワイヤレス通信のための装置であって、
隣接ワイヤレスキャリアに関係するデータのセットを取得するための手段と、
サービングワイヤレスキャリアに関係する品質またはパフォーマンス情報を取得するための手段と、
前記隣接ワイヤレスキャリアと前記サービングワイヤレスキャリアとの分析に基づいて前記サービングワイヤレスキャリアから前記隣接ワイヤレスキャリアへのハンドオーバを行うための手段と
を備える装置。
【請求項４９】
ワイヤレス通信のために構成された少なくとも１つのプロセッサであって、
隣接ワイヤレスキャリアに関係するデータのセットを取得するモジュールと、
モバイルデバイスによって利用されるサービングワイヤレスキャリアに関係する品質またはパフォーマンス情報を生成するモジュールと、
前記サービングワイヤレスキャリアから前記隣接ワイヤレスキャリアにハンドオーバすべきかどうかを判断するモジュールと
を備える、少なくとも１つのプロセッサ。
【請求項５０】
隣接ワイヤレスキャリアに関係するデータのセットを取得することをコンピュータに行わせるためのコードと、
モバイルデバイスによって利用されるサービングワイヤレスキャリアに関係する品質またはパフォーマンス情報を生成することを前記コンピュータに行わせるためのコードと、
前記サービングワイヤレスキャリアから前記隣接ワイヤレスキャリアにハンドオーバすべきかどうかを判断することを前記コンピュータに行わせるためのコードと
を備える、コンピュータ可読媒体
を備える、コンピュータプログラム製品。
【発明の詳細な説明】
【関連出願】
【０００１】
米国特許法第１１９条に基づく優先権の主張  
本特許出願は、本出願の譲受人に譲渡され、参照により本明細書に明確に組み込まれる、２００９年４月１７日に出願された「METHOD AND APPARATUS TO ENABLE INTER-FREQUENCY INDICATION OF ASSOCIATION DATA FOR HETEROGENEOUS DEPLOYMENTS」と題する仮特許出願第６１／１７０，４０３号の優先権を主張する。
【技術分野】
【０００２】
以下の説明は、一般にワイヤレス通信に関し、より詳細には、ネットワーク展開において、ワイヤレス通信のローカルインターネットプロトコルアクセストラフィックのためのパケットデータネットワーク接続性を可能にすることに関する。
【背景技術】
【０００３】
ワイヤレス通信システムは、ボイスコンテンツ、データコンテンツなど様々なタイプの通信コンテンツを与えるために広く展開されている。典型的なワイヤレス通信システムは、使用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、あるいはＥｖｏｌｕｔｉｏｎ  Ｄａｔａ  Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局の間の通信は、単入力単出力（ＳＩＳＯ）システム、多入力単出力（ＭＩＳＯ）システム、多入力多出力（ＭＩＭＯ）システムなどを介して確立され得る。
【０００５】
モバイル通信における最近の進歩は、（たとえば、ボイスネットワークを備える）モバイルネットワークとインターネットプロトコル（ＩＰ）ベースのネットワークとの統合に関与する。この統合は、ＩＰタイプネットワーク上で利用可能な莫大な量のマルチメディアリソースがモバイルフォン、ラップトップコンピュータなどでアクセス可能になることを可能にする。さらに、この統合は、回線交換およびパケット交換通信を含む高品質ボイス通信が様々なタイプのネットワークインターフェース機構（たとえば、ワイヤレスローカルエリアネットワーク、ブロードバンドＩＰ、ダイヤルアップ、セルラー無線ネットワークなど）を介して利用可能になることを可能にした。コアネットワークインフラストラクチャが時間とともに進化するにつれて、統合ボイスおよびＩＰ通信を達成するためのさらなる機構が実現されている。さらに、無線ネットワークインフラストラクチャの進歩は、遠隔の地理的エリアまたは従来不十分な信号ジオメトリを有するエリアにおいてさえ、より広範囲の加入者が統合ボイスおよびＩＰサービスにアクセスすることを可能にする。
【０００６】
コアネットワークインフラストラクチャと同様に、無線ネットワークインフラストラクチャは、加入者のニーズを満たし、モバイルユーザ機器の能力を活用するためにサービスプロバイダから大きな注目を浴びている。たとえば、最近の進歩では、様々なタイプの基地局が共通エリア内に展開されており、その結果、異種アクセスポイントネットワークが生じている。したがって、マクロ基地局の従来の展開に加えて、ターゲット地理的領域におけるワイヤレスサービスを改善するために、マイクロおよびピコ基地局、基地局リレーおよびリピータ、スマートリピータなど、より低電力の基地局が計画マクロ展開内に含められている。他の状況では、低電力基地局は、屋内建造物または複合施設に同様のカバレージを与えるために、ショッピングモール、大型建造物などの屋内に展開され得る。
【０００７】
事業者展開基地局に加えて、加入者またはワイヤレスサービスユーザによって展開される新しいタイプの基地局が出現している。事業者展開基地局とは対照的に、これらの加入者展開基地局は、事業者展開とは無関係に個々の加入者によって様々なロケーションに確立され得る。加入者展開基地局は、個人宅、オフィス、アパートなど、限定されたエリア中のワイヤレスサービスユーザに大きなアクセス利益を提供することができる。しかしながら、加入者展開基地局の高密度展開からの干渉を緩和すること、これらの基地局にワイヤレスリソースを割り振ること、ユーザ端末にモビリティを提供すること、これらの基地局を介して配信される請求および課金機能を確立することなどを含む、様々な課題も発生する。したがって、ワイヤレスネットワーキングにおける著しい目下の発展は、異種展開における技術的不整合に対する解決策を特定すること、ならびにワイヤレス運用を最適化するためにこれらのタイプの展開の運用を微調整することに関与する。
【発明の概要】
【０００８】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、本開示の１つまたは複数の態様のいくつかの概念を簡略化された形で提示することである。
【０００９】
本開示の態様は、マルチキャリアワイヤレスネットワーク展開におけるユーザ機器モビリティを可能にする。いくつかの態様では、キャリア間モビリティを可能にするための、モバイルセル選択に関係するデータのクロスキャリアインジケーションについて説明する。これは、たとえば、マクロ基地局が第１のキャリア周波数上で動作し、マイクロ、ピコまたはフェムト基地局、あるいはリレーまたはリピータ基地局など、基地局の第２のセットが、１つまたは複数の追加のキャリア周波数上で動作する、異種アクセスポイント環境において利用され得る。データは、無線でまたはワイヤードバックホールを介して基地局の間で共有され、それぞれの基地局によってサービスされるモバイル端末にサービングキャリア上で配信され得る。これにより、個々のモバイル端末が、非サービングキャリアに関係する関連付けまたはハンドオーバ判断のために非サービングキャリアにチューンアウェイ（tune away）する必要を低減または回避することができる。したがって、サービングキャリア上の信号分析のギャップを低減または回避して、マルチキャリア環境におけるワイヤレス通信の全体的な品質を改善することができる。
【００１０】
本開示の特定の態様では、ワイヤレス通信の方法が提供される。本方法は、基地局によって採用される第１のキャリア周波数上で動作しているモバイル端末をサービスするために第１のキャリア周波数に関係するセル選択データを取得することを備えることができる。さらに、本方法は、第１のキャリア周波数に関係するキャリア間ハンドオーバ判断を可能にするために、第２の基地局によって採用される第２のキャリア周波数上で動作しているモバイル端末にセル選択データを送信することを備えることができる。
【００１１】
別の態様では、ワイヤレス通信のために構成された装置が開示される。本装置は、ワイヤード電子通信と、少なくともサービングキャリア上でのワイヤレス電子通信とのための通信インターフェースを備えることができる。その上、本装置は、ワイヤレスネットワーク内でキャリア間モビリティを可能にするように構成された命令を記憶するためのメモリと、その命令を実装するためにモジュールを実行するためのデータプロセッサとを備えることができる。詳細には、これらのモジュールは、非サービングキャリアに関与するモバイルハンドオーバ決定に関係するモビリティ情報のセットを取得する捕捉モジュール（acquisition module）であって、非サービングキャリアとサービングキャリアとがワイヤレスネットワーク内の別個の周波数である、捕捉モジュールを含むことができる。少なくとも１つの態様では、モジュールはまた、サービングキャリア上で動作しているユーザ機器（ＵＥ）のためのセル選択を可能にするためにモビリティ情報のセットのうちの少なくともサブセットを送信するブロードキャストモジュールを含むことができる。
【００１２】
他の態様によれば、ワイヤレス通信のために構成された装置が開示される。本装置は、第１のキャリア周波数上で動作している第１の基地局からセル選択データのセットを取得するための手段を備えることができる。その上、本装置は、第１のキャリア周波数に関係するキャリア間ハンドオーバ判断を可能にするために、第２の基地局によって採用される第２のキャリア周波数上で動作しているモバイル端末にセル選択データのセットのうちの少なくともサブセットを送信するための手段を備えることができる。
【００１３】
追加の態様では、ワイヤレス通信のために構成された少なくとも１つのプロセッサが提供される。（１つまたは複数の）プロセッサは、第１のキャリア周波数上で動作している第１の基地局からセル選択データのセットを取得するためのモジュールを備えることができる。さらに、（１つまたは複数の）プロセッサは、第１のキャリア周波数に関係するキャリア間ハンドオーバ判断を可能にするために、第２の基地局によって採用される第２のキャリア周波数上で動作しているモバイル端末にセル選択データのセットのうちの少なくともサブセットを送信するためのモジュールを備えることができる。
【００１４】
さらに他の態様では、本開示は、コンピュータ可読媒体を備えるコンピュータプログラム製品を提供する。コンピュータ可読媒体は、第１のキャリア周波数上で動作している第１の基地局からセル選択データのセットを取得することをコンピュータに行わせるためのコードを備えることができる。さらに、コンピュータ可読媒体は、第１のキャリア周波数に関係するキャリア間ハンドオーバ判断を可能にするために、第２の基地局によって採用される第２のキャリア周波数上で動作しているモバイル端末にセル選択データのセットのうちの少なくともサブセットを送信することをコンピュータに行わせるためのコードを備えることができる。
【００１５】
上記に加えて、ワイヤレス通信の方法が開示される。本方法は、隣接ワイヤレスキャリアに関係するデータのセットを取得することを備えることができる。さらに、本方法は、サービングワイヤレスキャリアから隣接ワイヤレスキャリアにハンドオーバすべきかどうかを判断することに関連して、モバイルデバイスによって利用されるサービングワイヤレスキャリアに関係する品質またはパフォーマンス情報を取得するか、あるいはそれを計算するためにデータプロセッサを採用することを備えることができる。
【００１６】
別の態様では、ワイヤレス通信のために構成された装置が提供される。本装置は、複数のワイヤレスキャリア上でワイヤレス信号を受信するためのワイヤレス通信インターフェースを備えることができる。さらに、本装置は、ワイヤレスネットワーク内でキャリア間モビリティを可能にするように構成された命令を記憶するためのメモリと、その命令を実装するためにモジュールを実行するためのデータプロセッサとを備えることができる。詳細には、モジュールは、非サービングキャリアに関与するモバイルハンドオーバ決定に関係するセル選択データのセットを取得するために、ワイヤレス通信インターフェースを捕捉チャネルにチューンさせる捕捉モジュールを備えることができる。別の態様では、モジュールは、少なくとも部分的に、サービングキャリアから非サービングキャリアへのハンドオーバを実行すべきかどうかを判断するために、セル選択データのセットを採用する決定モジュールを備えることができる。
【００１７】
本開示の１つまたは複数のさらなる態様によれば、ワイヤレス通信のための装置が提供される。本装置は、隣接ワイヤレスキャリアに関係するデータのセットを取得するための手段を備えることができる。さらに、本装置は、サービングワイヤレスキャリアに関係する品質またはパフォーマンス情報を取得するための手段を備えることができる。上記に加えて、本装置はまた、隣接ワイヤレスキャリアとサービングワイヤレスキャリアとの分析に基づいてサービングワイヤレスキャリアから隣接ワイヤレスキャリアへのハンドオーバを行うための手段を備えることができる。
【００１８】
上記に加えて、ワイヤレス通信のために構成された少なくとも１つのプロセッサが開示される。（１つまたは複数の）プロセッサは、隣接ワイヤレスキャリアに関係するデータのセットを取得するモジュールを備えることができる。さらに、（１つまたは複数の）プロセッサは、モバイルデバイスによって利用されるサービングワイヤレスキャリアに関係する品質またはパフォーマンス情報を生成するモジュールを備えることができる。その上、（１つまたは複数の）プロセッサは、サービングワイヤレスキャリアから隣接ワイヤレスキャリアにハンドオーバすべきかどうかを判断するモジュールを備えることができる。
【００１９】
別の開示する態様では、本開示は、コンピュータ可読媒体を備えるコンピュータプログラム製品を提供する。コンピュータ可読媒体は、隣接ワイヤレスキャリアに関係するデータのセットを取得することをコンピュータに行わせるためのコードを備えることができる。コンピュータ可読媒体はまた、モバイルデバイスによって利用されるサービングワイヤレスキャリアに関係する品質またはパフォーマンス情報を生成することをコンピュータに行わせるためのコードを備えることができる。さらに、コンピュータ可読媒体は、サービングワイヤレスキャリアから隣接ワイヤレスキャリアにハンドオーバすべきかどうかを判断することをコンピュータに行わせるためのコードを備えることができる。
【００２０】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【図面の簡単な説明】
【００２１】
【図１】本開示の態様によるキャリア間関連付けのための例示的なワイヤレス環境のブロック図。
【図２】特定の態様によるクロスキャリアモビリティをサポートする例示的なワイヤレス展開のブロック図。
【図３】さらなる態様によるキャリア間モビリティを与える例示的な装置のブロック図。
【図４】キャリア間関連付けを可能にするための例示的なワイヤレス通信のブロック図。
【図５】キャリア間展開におけるモバイル支援関連付けのための例示的なワイヤレスシステムのブロック図。
【図６】１つまたは複数の態様によるキャリア間関連付けのための例示的な方法のフローチャート。
【図７】マルチキャリア異種ネットワーク展開におけるモビリティをサポートするための例示的な方法のフローチャート。
【図８】特定の態様によるマルチキャリアワイヤレス展開における端末モビリティのための例示的な方法のフローチャート。
【図９】他の態様におけるマルチキャリア展開のためのモバイル支援関連付けまたはハンドオーバのための例示的な方法のフローチャート。
【図１０】異種展開のためのキャリア間関連付けを与える例示的な電子装置のブロック図。
【図１１】マルチキャリア環境においてモバイル支援関連付けまたはハンドオーバを与える例示的な電子装置のブロック図。
【図１２】本開示の様々な態様を実装することができる例示的なワイヤレス通信装置のブロック図。
【図１３】さらなる態様によるワイヤレス通信のための例示的なセルラー環境のブロック図。
【図１４】ネットワーク環境内でアクセスポイント基地局の展開を可能にする例示的な通信システムを示す図。
【発明を実施するための形態】
【００２２】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００２３】
さらに、本開示の様々な態様について以下で説明する。本明細書の教示は多種多様な形態で実施され得、本明細書で開示する特定の構造および／または機能は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し、および／または方法を実施することができる。さらに、本明細書に記載の態様のうちの１つまたは複数に加えて、あるいはそれら以外に、他の構造および／または機能を使用して装置を実装し、および／または方法を実施することができる。一例として、本明細書で説明する方法、デバイス、システム、および装置の多くについて、特に、マルチキャリアネットワーク展開においてモビリティと関連付けとを与えることに関して説明する。同様の技法が他の通信環境に適用され得ることを、当業者なら諒解されよう。
【００２４】
ワイヤレスアクセスネットワークへの加入者展開基地局の導入により、著しいフレキシビリティと、そのようなネットワークへのパーソナルアクセスの消費者制御とが可能になる。これらの加入者展開基地局は、ホーム基地局とも呼ばれ、ホームノードＢ（ＨＮＢ）基地局、拡張ＨＮＢ、またはホームｅノードＢ（ＨｅＮＢ）（ただし、Ｈ（ｅ）ＮＢという用語は、ＨＮＢまたはＨｅＮＢのいずれかであり得るエンティティを指す）、フェムトセル、フェムト基地局などを含むことができる。これらは加入者展開基地局の別個の例であるが、（たとえば、１つまたは別のそのような基地局のみを採用する特定のセルラーシステムに関連して）別段に記載されている場合を除いて、本明細書では、これらの用語は、概して加入者展開基地局を指すために互換的に使用される。
【００２５】
マクロ基地局展開内への低電力基地局または加入者展開基地局の導入時に、いくつかの課題が生じる。たとえば、後者の場合、加入者展開セルは、制限付き関連付けまたは限定加入者グループ（ＣＳＧ）の下で動作することができ、それにより、特定の基地局におけるネットワークアクセスは、ＣＳＧ中に含まれるモバイル端末に限定される。従来の同種展開では、モバイル端末は、一般に、最も高い信号ジオメトリ（たとえば、最良の信号対雑音比）を有するセルへのアクセスを要求する。しかしながら、異種展開では、モバイル端末は、最も高い信号ジオメトリを有するセルにアクセスすることを許可されていないことがあり、または代わりに、最低パスロスを有するセルに接続して干渉を低減することが有益であることがある。
【００２６】
上記に加えて、異なる基地局クラス（たとえば、マクロ、マイクロ、ピコ、フェムト）は、重複するまたは近くの地理的領域において異なるキャリア周波数上で動作するように構成され得る。複数のそのような基地局の信号情報にアクセスするために、モバイル端末をサービスする基地局によって採用されるキャリア（それぞれ、サービング基地局、およびサービングキャリア）上で動作しているか、またはモバイル端末がキャンピングされた基地局によって採用されるキャリア上で動作している、モバイル端末は、非サービングキャリア上でセルを検出するために非サービングキャリアにチューンアウェイする。これにより、モバイル端末は、非サービングキャリアにチューンアウェイすることと、サービングキャリアに戻るようにチューンすることとを行うために必要とされる時間期間にわたって、サービングキャリア上で信号測定値を失うことがある。複数のキャリアにチューンアウェイすると、バッテリー寿命に関して費用がかかることがあり、また、サービングキャリア上での測定ギャップにより、接続モードパフォーマンスが妨げられることがある。
【００２７】
クロスキャリアチューニングの問題は、特に異種ネットワーク中で深刻であり得、なぜなら同種計画ネットワーク中とは異なり、所与のサービング基地局が、隣接基地局と隣接基地局によって採用されるキャリアとに関する関係するセル選択または関連付け情報を有しないことがあるからである。クロスキャリア情報が利用可能な場合でも、モバイル端末がチューンアウェイすることは有益でないことがあり、なぜなら、モバイル端末が別のキャリア上でいかなる好ましいセルまたはアクセス可能なセルをも識別しないことがあり、その上、依然としてサービングキャリア上で測定ギャップが生じるからである。たとえば、非サービングキャリアセルは、より不良なパスロスを有するか、またはモバイル端末へのアクセスを拒否することがある。さらに、ネットワークが、捕捉パイロットについての低デューティサイクルプリアンブルまたは低デューティサイクル制御チャネル送信に依拠する場合は特に、異種展開におけるセル検出回数が極めて多いことがある。１つの具体的な例は、まれに発生し、場合によっては高い干渉という欠点がある、低再使用プリアンブルを含む。さらに、ネットワーク同期の欠如が、マルチキャリア環境におけるチューンアウェイ時間を延長することがある。本開示の態様は、ワイヤレスネットワーク効率と有益な市場へのワイヤレスインフラストラクチャ浸透度とを改善するためにキャリア間セル検出を行うことによって、マルチキャリアネットワーク展開に伴うこれらおよび他の問題に対処することを目的とする。
【００２８】
図１に、本開示の態様による例示的なワイヤレス通信環境１００のブロック図を示す。ワイヤレス通信環境１００は、エアインターフェースを介してモバイル端末１０４にワイヤレス結合されたサービング基地局１０２を備える。詳細には、エアインターフェースは、サービング基地局１０２によって採用されるキャリア周波数（本明細書では、サービングキャリア、サービングキャリア周波数、サービング周波数などとも呼ばれる）上でのサービング基地局１０２とのワイヤレス通信リンクを含む。サービングキャリア上での上記ワイヤレス通信リンクはサービングキャリアリンク１０６とも呼ばれる。
【００２９】
サービング基地局１０２、モバイル端末１０４、およびサービングキャリアリンク１０６は、様々なワイヤレス通信システムのうちの１つを備えることができることを諒解されたい。一例では、ワイヤレス通信環境１００は、セルラー通信システムの無線アクセスインターフェースのサブセットであり得る（たとえば、ユニバーサル移動通信システム［ＵＭＴＳ］地上波無線アクセスネットワーク［ＵＴＲＡＮ］、進化型ＵＴＲＡＮ［ｅ−ＵＴＲＡＮ］、ＧＳＭ（登録商標）［グローバルシステムフォーモバイルコミュニケーション］／ＥＤＧＥ［エンハンスドデータレートフォーＧＳＭエボリューション］無線アクセスネットワーク［ＧＥＲＡＮ］、または基地局と、基地局のネットワーキングを管理するコンポーネントと、それらの基地局、それらのコンポーネント、およびセルラーコアネットワークの間のインターフェースとを備える他の好適なエアインターフェース）。図示されていないが、ワイヤレス通信環境１００はまた、この場合、セルラーコアネットワークへの通信リンクまたはインターフェースを備えることができる。他の例では、ワイヤレス通信環境１００は、ＷｉＦｉネットワーク、マイクロ波アクセスのための世界的な相互運用性（ＷｉＭＡＸ）ネットワークなど、インターネットプロトコル通信規格とともに非認可無線周波数を採用するワイヤレス通信ネットワークを備えることができる。これらの後者の例では、ワイヤレス通信環境１００は、たとえばインターネットサービスプロバイダ（ＩＳＰ）を通して、より広い通信またはデータネットワークとリンクされ得、あるいはローカルエリアネットワーク、イントラネットなどのワイドエリアネットワークなど、またはそれらの好適な組合せに結合され得る。
【００３０】
上記に加えて、サービング基地局１０２は、少なくとも１つの追加非サービング基地局１０８に通信可能に結合される。さらに、非サービング基地局１０８は、サービング基地局１０２とは異なるキャリア周波数を採用し、そのキャリア周波数は、非サービングキャリアと呼ばれる（ただし、第２のキャリア、隣接キャリア、クロスキャリアなどとも呼ばれることがあり、ここで、異なるキャリア名は、ワイヤレス通信のために利用されることができる異なるまたは別個のキャリア周波数を指す）。非サービング基地局１０８およびサービング基地局１０２は、一例では、共通の基地局サブシステム内にあり得る（たとえば、図示されていない共通の無線ネットワークコントローラによって管理される）が、本開示はそのように限定されない。他の例では、サービング基地局１０２および非サービング基地局１０８は、異なる無線アクセスネットワーク（たとえば、ＵＴＲＡＮおよびＧＥＲＡＮネットワーク）中の基地局であるか、異なるサイズの基地局であるか、あるいは異なる送信電力を有するか（たとえば、マクロ対マイクロ、５０ワット対１５ワット、など）、異なるアクセスルール（たとえば、一般アクセス、制限付きアクセス）など、またはそれらの好適な組合せを有することができる。
【００３１】
特定の例示的な例として、サービング基地局１０２は、第１のキャリア周波数（サービングキャリア）を採用する第３世代パートナーシッププロジェクト（３ＧＰＰ）ロングタームエボリューション（ＬＴＥ）ネットワークのマクロ基地局であり得、非サービング基地局１０８は、第２のキャリア周波数を採用する３ＧＰＰ  ＬＴＥアドバンスト（またはＬＴＥ−Ａ）ネットワークのマクロ基地局であり得る。別の例では、サービング基地局１０２は、サービングキャリア上で動作しているマクロ基地局であり得、非サービング基地局１０８は、非サービングキャリア上で動作している加入者展開基地局（たとえば、ホームノードＢ［ＨＮＢ］、ホームｅノードＢ［ＨｅＮＢ］、ホーム基地局、フェムトアクセスポイント、フェムト基地局など）であり得る。本開示に関係する当業者は、技術経験によるか、または本明細書で与える文脈によるかにかかわらず、他の好適な例を認識するであろうが、それらの例は本開示の範囲内にあると見なされる。
【００３２】
動作中、サービング基地局１０２は、サービング基地局１０２と非サービング基地局１０８とを通信可能に結合するバックホールリンク１１０を介して、非サービング基地局１０８から（１つまたは複数の）メッセージ１１２を取得する。バックホールリンク１１０は、ワイヤード通信リンク（たとえば、イーサネット（登録商標）リンク、ツイストペア［たとえば、ツイスト銅ペア］、デジタル加入者回線、同軸ケーブルリンク、光ファイバー通信リンクなど）またはワイヤレス通信リンク（たとえば、サービングキャリア、非サービングキャリア、または第３のキャリア周波数上でのリソースの予約済みセット、ＷｉＦｉリンク、非サービング基地局１０８とサービング基地局１０２との間の仲介者として働く、モバイル端末１０４［または１つまたは複数の他のモバイル端末］を備える無線［ＯＴＡ］リンクなど）、またはそれらの好適な組合せを備えることができる。
【００３３】
さらに、（１つまたは複数の）メッセージ１１２は、非サービング基地局１０８または非サービング基地局１０８によって採用される非サービングキャリアに関係する非サービングキャリア捕捉データを備えることができる。この非サービングキャリア捕捉データは、セル選択、セル捕捉、基地局のアクティブセットを維持すること、ソフトハンドオフまたはハードハンドオーバを行うこと、キャリア上にキャンピングすることなど、（モバイル開始型であろうと、ネットワーク開始型であろうと、またはそれらの組合せであろうと）モバイル端末１０４に関与するキャリア間モビリティ機能のために利用され得る様々なタイプのデータを備えることができる。（１つまたは複数の）メッセージ１１２中に含まれる様々なタイプのデータは、セルまたは非サービングキャリア負荷情報、電力クラス情報、限定加入者グループ（ＣＳＧ）情報、アンカーキャリア情報、（非サービングキャリア上で動作しているセルについての）完全または部分セル識別情報、アップリンク（ＵＬ）またはダウンリンク（ＤＬ）上の、非サービングキャリア、またはそのサブバンド、チャネルもしくはハイブリッド自動再送要求インターレース（ＨＡＲＱインターレース）の、番号、または識別子、非サービングキャリア上で典型的なモバイル端末に割り振られるリソースの一部分、非サービングキャリア、またはそのサブバンド、チャネルもしくはＨＡＲＱインターレースの干渉レベル、非サービングキャリア上で動作しているセルのＤＬまたはＵＬ上でのデータレート、サービス品質保証（ＱｏＳ保証）、バックホール帯域幅、実効等方放射電力、最大電力増幅器出力電力、受信機雑音指数、あるいは基地局バッテリー電力レベル、あるいは非サービングキャリアに関係するモバイル端末モビリティ機能に関与するデータの同様のセット、あるいは上記のいずれかの好適な組合せ、のうちの少なくとも１つを含むことができる。（１つまたは複数の）メッセージ１１２内で与えられる上記の非サービングキャリア捕捉データの特定のサブセットは、サービング基地局１０２によって要求され、サービング基地局１０２または非サービング基地局１０８のうちの１つまたは複数を管理する無線ネットワークコントローラによって指定され、キャリア間セル捕捉のためのデフォルト値などとして指定され、メモリに記憶され得る。
【００３４】
（１つまたは複数の）メッセージ１１２中で受信されたキャリア間捕捉データは、（１つまたは複数の）ワイヤレスメッセージ１１４中でサービングキャリアリンク１０６を介してモバイル端末１０４に搬送され得る。キャリア間捕捉データは、非サービング基地局１０８によって与えられるすべての非サービングキャリア捕捉データの全部または好適なサブセットであり得る。一例では、サービング基地局１０２は、モバイル端末１０４のモビリティ機能に関係する非サービングキャリア捕捉データのサブセットをフィルタ処理し、このサブセットをキャリア間捕捉データとして（１つまたは複数の）ワイヤレスメッセージ１１４中に含めることができる。特定の態様では、サービング基地局１０２は、モバイル端末１０４のハンドオーバ判断についての端末固有情報を与えるために、モバイル端末１０４において実行された（およびサービングキャリアリンク１０６を介してサービング基地局１０２にフォワーディングされた）非サービングキャリア測定に関連して非サービングキャリア捕捉データを分析し、または代替的に、モバイル端末１０４のハンドオーバ判断を行うために非サービングキャリア捕捉データと非サービングキャリア測定値とを採用することができる。少なくとも１つの例では、（１つまたは複数の）ワイヤレスメッセージ１１４中に含まれるキャリア間データは、非サービング基地局１０８にハンドオーバするためのコマンド、または非サービング基地局１０８を基地局のアクティブセット中に含めるためのコマンドなどを含むことができる。
【００３５】
非サービング基地局１０８から非サービングキャリア捕捉データを受信することによって、サービング基地局１０２は、この情報をサービングチャネル上でブロードキャストすることができ、モバイル端末１０４がキャリア間モビリティ判断を行うために非サービングキャリアにチューンアウェイする必要を回避するかまたはその頻度を低減する。非キャリア周波数にチューンアウェイすることが必要な場合、このチューンアウェイすることは、チューンアウェイ期間中のモバイル端末１０４におけるサービングキャリア測定値の劣化を緩和するようにサービング基地局１０２によって指示され得る。これにより、ワイヤレス通信環境１００などのマルチキャリア環境におけるワイヤレス通信の全体的な信頼性を大幅に改善することができる。
【００３６】
図２に、本開示の態様による例示的なワイヤレス通信システム２００のブロック図を示す。ワイヤレス通信システム２００は、モバイル端末アクセス通信のためにサービング基地局２０２とは異なるキャリア周波数を採用するクロスキャリアフェムト基地局２０４（フェムトＢＳ２０４）に通信可能に結合されたサービング基地局２０２を備えることができる。さらに、サービング基地局２０２およびフェムトＢＳ２０４は、ワイヤレスバックホールリンク２０６を介して結合され、ワイヤレスバックホールリンク２０６を介して、それぞれの基地局は、それぞれの基地局によって採用されるそれぞれのキャリア周波数に関係するキャリア捕捉データを交換することができる。詳細には、サービング基地局２０２は、サービング基地局２０２によって採用される第１のキャリア周波数に関係するセル選択または捕捉データを備えるキャリアデータ1２１０ＢをフェムトＢＳ２０４に送ることができ、フェムトＢＳ２０４は、フェムトＢＳ２０４によって採用される第２のキャリア周波数に関係するセル選択または捕捉データを備えるキャリアデータ2２１０Ａを送ることができる。
【００３７】
サービング基地局２０２は、サービング基地局２０２にとどまっている（camping）モバイル端末、またはサービング基地局２０２にアクティブに接続されたモバイル端末にキャリア間モビリティサービスを提供するキャリア間モビリティ装置２０８を備えることができるか、またはキャリア間モビリティ装置２０８に通信可能に結合され得る。キャリア間モビリティ装置２０８は、（たとえば、サービング基地局２０２との、または図示されていない、ワイヤレスバックホールリンクを介した第２の基地局との）ワイヤード電子通信と、（たとえば、サービング基地局２０２にとどまっているモバイル端末、またはサービング基地局２０２にアクティブに接続されたモバイル端末との）少なくともサービングキャリア上でのワイヤレス電子通信とのための通信インターフェース２１２を備えることができる。本開示のいくつかの態様では、通信インターフェース２１２は、サービングキャリア上で動作している基地局（上記の図１のサービング基地局１０２）を非サービングキャリア上で動作している第２の基地局（上記の非サービング基地局１０８）と結合するワイヤードバックホールリンクへの電子インターフェースを備える。少なくとも１つの代替または追加の態様では、通信インターフェース２１２は、ワイヤレスバックホールリンク２０６によって利用されるキャリアまたはワイヤレス技術に基づいて、直接、またはサービング基地局２０２の電子通信ハードウェア（たとえば、サービング基地局２０２の送信受信チェーン。図示されていないが、以下の図１２を参照）を介して、フェムトＢＳ２０４とともにデータを送り、受信するように動作することができる。
【００３８】
上記に加えて、キャリア間モビリティ装置２０８は、ワイヤレスネットワーク内でキャリア間モビリティを可能にするように構成された命令を記憶するためのメモリ２１４と、その命令を実装するためにモジュールを実行するためのデータプロセッサ２１６とを備えることができる。詳細には、上記モジュールは、フェムトＢＳ２０４によって採用される非サービングキャリアに関与するモバイルハンドオーバ決定に関係するモビリティ情報のセットを（たとえば、ワイヤレスバックホールリンク２０６を介してフェムトＢＳ２０４などの非サービング基地局から）取得する捕捉モジュール２１８を備えることができ、非サービングキャリアとサービング基地局２０２によって採用されるサービングキャリアとは、ワイヤレスネットワーク内の別個の周波数である。本開示の少なくとも１つの態様では、モビリティ情報のセットは、上記の図１において上記で説明した（この場合、フェムトＢＳ２０４に関係する）非サービングキャリア捕捉データの好適なサブセットを備えることができる。さらに、キャリア間モビリティ命令を可能にする上記モジュールは、サービングキャリア上で動作しているユーザ機器（ＵＥ。本明細書では互換的にモバイル端末、モバイルデバイス、ユーザ端末などとも呼ばれる）のためのセル選択を可能にするためにモビリティ情報のセットのうちの少なくともサブセットを送信するブロードキャストモジュール２２０を含むことができる。これにより、ＵＥは、非サービングキャリアにチューンすることなしにサービングキャリア上でモビリティ情報のセットのうちのサブセットを取得できる。これにより、非サービングキャリアに関与するモビリティ決定を実行するために非サービングキャリアにチューンアウェイする必要を低減または回避することができる。
【００３９】
モビリティ情報のセットのうちのサブセットは、サービング基地局２０２に結合された１つまたは複数のＵＥにおいてどの非サービングキャリアが観測されたかに基づいて、またはＵＥのうちの１つまたは複数によって観測された特定のワイヤレス状態に基づいて、生成され得ることを諒解されたい。代替的に、または追加として、モビリティ情報のセットのうちのサブセットは、サービング基地局２０２によって採用されるサービングキャリアのために確立されるデフォルトサブセットであり得るか、またはキャリア間モビリティ装置２０８によって実行された信号分析に基づいて１つまたは複数のモビリティコマンドを備えることができる（たとえば、以下の図３を参照）。一例では、モビリティ情報のセットのうちのサブセットは、非サービングワイヤレスチャネルのメトリックを計算するためにＵＥによって採用される非サービングキャリアに関係するデータを含み、そのメトリックは、非サービングキャリアに関係するモビリティ決定においてＵＥによって利用される。
【００４０】
本開示の少なくとも１つの態様では、ワイヤレス通信システム２００は、（フェムトＢＳ２０４の代わりに、またはフェムトＢＳ２０４に加えて）サービング基地局２０２に通信可能に結合された１つまたは複数の追加の非サービング基地局を備えることができる。場合によっては、通信インターフェース２１２は、少なくとも１つまたは複数の非サービングキャリア上でのワイヤレス通信のために構成され、捕捉モジュール２１８は、（たとえば、非サービング基地局によってサービスされるか、または非サービング基地局に関連する、ＵＥ、リレー、リピータなどからＯＴＡで）１つまたは複数のそのような非サービングキャリア上でのアップリンク送信からモビリティ情報を取得する。代替的に、または追加として、捕捉モジュール２１８は、非サービングキャリアを採用するワイヤレスバックホールリンク上で、またはサービング基地局２０２と非サービング基地局との間のワイヤード接続を介したワイヤレスバックホールリンク上で、非サービング基地局からモビリティ情報を取得するモジュールとして構成され得る。したがって、捕捉モジュール２１８は、通信インターフェース２１２を備えることができる様々なインターフェースを介してモビリティ情報を受信するように構成され得る。
【００４１】
別の代替態様によれば、キャリアデータ2２１０Ａは、周期的にフェムトＢＳ２０４によって、ネットワークによって指示されるように、またはキャリア間モビリティ装置２０８からの周期的要求に基づいて、送信され得る。これにより、フェムトＢＳ２０４によって採用される非サービングキャリア上でのワイヤレス状態の変化を、キャリアデータ2２１０の後続の反復において表すことができる。場合によっては、周期的要求または送信は、非サービングキャリアに固有のレートまたはサービングキャリアに固有のレートで、（サービング基地局２０２またはフェムトＢＳ２０４において判断された）ランダムまたは擬似ランダム時間で、あるいは何らかの他のレートで、行われることがある。これらの送信に基づいて、捕捉モジュール２１８は、したがって（１つまたは複数の）非サービングキャリアに関係するモビリティ情報を周期的に取得し、場合によっては、サービング基地局２０２によってサービスされる１つまたは複数のＵＥに関係するモビリティデータの（１つまたは複数の）サブセットをフィルタ処理し、モビリティデータまたはフィルタ処理された（１つまたは複数の）サブセットをブロードキャストモジュール２２０に供給し、ブロードキャストモジュール２２０は、それにより、（１つまたは複数の）非サービングキャリアに関係するモビリティ情報または（１つまたは複数の）サブセットをそのような（１つまたは複数の）キャリアに対して指定されたレートで周期的に送信する。
【００４２】
図３に、本開示のさらなる態様による例示的なキャリア間モビリティ装置３００のブロック図を示す。キャリア間モビリティ装置３００は、ワイヤレスネットワークの基地局（たとえば、サービング基地局。図示されていないが、上記の図２を参照）によってサービスされるＵＥ（図示されていないが、上記の図１を参照）のためのキャリア間モビリティを可能にするために、上記基地局に結合されるか、またはその内に含まれ得る。キャリア間モビリティ装置３００は、上記基地局の送信受信チェーンに通信可能に結合されるか、またはそれを含む、また、上記基地局のワイヤード通信インターフェースに結合され得るか、またはそれを含むことができる、通信インターフェース３０２を備えることができる。通信インターフェース３０２は、上記基地局によって採用されるキャリア（サービングキャリア）とは異なるキャリア（非サービングキャリア）を採用する第２の基地局に関係するモビリティ情報のセット３０８を受信する。さらに、キャリア間モビリティ装置３００は、キャリア間モビリティを可能にするための命令を記憶するためのメモリ３０４と、その命令を実装するために１つまたは複数のモジュールを実行するデータプロセッサ３０６とを備えることができる。
【００４３】
上記に加えて、キャリア間モビリティ装置３００は、通信インターフェース３０２からモビリティ情報のセット３０８を受信し、モビリティ情報のセット３０８をブロードキャストモジュール３１２に供給する、捕捉モジュール３１０を備えることができる。次いで、ブロードキャストモジュール３１２は、サービングキャリア上で動作しているＵＥのためのセル選択を可能にするためにモビリティ情報のセットのうちの少なくともサブセット３１２Ａを送信する。詳細には、ブロードキャストモジュール３１２は、サービングキャリア上でモビリティ情報のセットのうちのサブセット３１２ＡをＵＥに送信するために通信インターフェース３０２（および上記基地局の送信受信チェーン）を採用することができる。少なくとも１つの態様では、モビリティ情報のセットのうちのサブセット３１２Ａは、非サービングワイヤレスチャネルのメトリックを計算するためにＵＥによって採用される非サービングキャリアに関係するデータを含み、そのメトリックは、非サービングキャリアに関係するモビリティ決定においてＵＥによって利用される。このようにして、ＵＥは、少なくとも、モビリティ情報のセットのうちのサブセット３１２Ａを取得するためには、非サービングキャリアにチューンする必要がなく、サービングキャリア上での信号測定の中断が緩和される。
【００４４】
他の態様によれば、キャリア間モビリティ装置３００は、ＵＥのために非サービングキャリアに関係するモビリティ判断を実行または可能にするために、ＵＥによって与えられたモビリティ情報のセットとダウンリンク信号測定値とに対して信号分析を実行することができる。この目的で、キャリア間モビリティ装置３００は、非サービングキャリア上でのダウンリンク信号のメトリック３１４Ａを計算するためにモビリティ情報のセットのうちの少なくとも第２のサブセットを採用する計算モジュール３１４をさらに備えることができる。メトリック３１４Ａは、信号品質、信号強度、アクセス機能（たとえば、第２の基地局の限定加入者グループ［ＣＳＧ］）、あるいはセル選択または捕捉に関係する他の好適なメトリックのうちの１つまたは複数の好適な測度であり得る。少なくとも１つの態様では、ダウンリンク信号のメトリック３１４Ａは、ダウンリンク信号の送信エネルギーを示す送信エネルギーメトリック、ＵＥとダウンリンク信号を送信するエンティティ（たとえば、第２の基地局）との間のチャネル利得を示すパスロス、ＵＥにおけるダウンリンク信号の受信品質を示す実効ジオメトリメトリック、ＵＥの達成可能なまたはサポートされるデータレートを示す予想データレート、または非サービングキャリア上での制御チャネルの信頼性を示す制御チャネル信頼性メトリックなど、またはそれらの好適な組合せ、のうちの少なくとも１つを備える。
【００４５】
さらに、キャリア間モビリティ装置３００はクエリモジュール３１６を備えることができる。クエリモジュール３１６は、計算モジュール３１４によって実行されるモビリティ判断に関連して非サービングキャリアに関係するＵＥ固有信号測定値を取得するように構成され得る。したがって、一例では、クエリモジュール３１６は、メトリック３１４Ａの計算を可能にするために非サービングキャリア上でのダウンリンク信号のＵＥ測定値３１６ＡをサブミットするようにＵＥに命令する。この場合、ＵＥ測定値３１６Ａは、通信インターフェース３０２から取得され、メトリック３１４Ａを判断するために計算モジュール３１４に供給される。
【００４６】
さらなる態様では、メトリック３１４Ａは、ＵＥの（非サービングキャリアに関係する）ハンドオーバ決定を実行するためにキャリア間モビリティ装置３００の他のモジュールが利用するためにメモリ３１８に記憶され得る。たとえば、キャリア間モビリティ装置３００は、ＵＥが非サービングキャリアへのハンドオーバを行うべきかどうかを判断するために非サービングキャリアに関係するメトリック３１４Ａを採用するモビリティモジュール３１８を備えることができる。この態様では、ブロードキャストモジュール３１２によって送信されるモビリティ情報のセットのうちのサブセットは、非サービングキャリアへのハンドオーバを行うためのオーダーを少なくとも部分的に備える。別の態様では、通信インターフェース３０２を介してＵＥに送信されるモビリティ情報のセットのうちのサブセットは、ＵＥにおいてハンドオーバ決定を実行することを可能にするためにメトリック３１４Ａを少なくとも部分的に備える。したがって、キャリア間モビリティ装置３００は、サービングキャリアを介して非サービングキャリアに関係する情報をフォワーディングすることによってモビリティ判断を支援するか、またはそれらの決定を実行し、ＵＥに非サービングキャリアへのハンドオーバを行うように命令することができる。さらに、情報をフォワーディングすることまたはＵＥに命令することは、第２の基地局からのモビリティ情報のセット３０８の周期的受信に基づいて、周期的に実行され得る。
【００４７】
図４に、本明細書で開示する１つまたは複数の追加の態様による例示的なワイヤレス通信システム４００のブロック図を示す。ワイヤレス通信システム４００は、基地局４０４に通信可能に結合されたＵＥ４０２を備える。さらに、ＵＥ４０２は、ＵＥ４０２のキャリア間モビリティ判断を可能にするためのハンドオーバ装置４０６を備える。
【００４８】
動作中、ＵＥ４０２は、エアインターフェースとワイヤレスリンクとを介して基地局４０４とワイヤレス通信することができる。詳細には、ワイヤレスは、ワイヤレスリンクに関連するワイヤレスリソース（たとえば、時間周波数リソース、（１つまたは複数の）周波数サブバンド、１つまたは複数のタイムサブスロットまたはインターレース、予約済みコードなど）のサブセットから構成される、少なくとも１つの捕捉チャネルを備えることができる。捕捉チャネルは、たとえば、ＵＥ４０２をサービスする基地局、またはＵＥ４０２がとどまっている基地局によって与えられるチャネルであり得、その基地局は基地局４０４を含むことができる。
【００４９】
ハンドオーバ装置４０６は、複数のワイヤレスキャリア上でワイヤレス信号を受信するためのワイヤレス通信インターフェース４０８を備えることができる。詳細には、ワイヤレス通信インターフェース４０８は、基地局４０４によって採用されるサービングキャリアと少なくとも１つの非サービングキャリアとの上で通信することができる。ワイヤレス通信は、ＵＥ４０２の送信受信チェーン（たとえば、以下の図５を参照）を採用することによって実装され得、その送信受信チェーンも、複数のワイヤレスキャリア上でワイヤレス信号を送り、受信するように構成される。
【００５０】
ハンドオーバ装置４０６は、ワイヤレスネットワーク内でキャリア間モビリティを可能にするように構成された命令を記憶するためのメモリ４１０と、その命令を実装するためにモジュールを実行するためのデータプロセッサ４１２とをさらに備える。詳細には、ハンドオーバ装置４０６は、非サービングキャリア（図示せず）に関与するモバイルハンドオーバ決定に関係するセル選択データセット４１６を取得するために、基地局４０４によって与えられる捕捉チャネルにワイヤレス通信インターフェース４０８をチューンさせる、捕捉モジュール４１４を備えることができる。少なくとも１つの態様では、捕捉モジュール４１４は、サービングキャリア上で動作しているサービング基地局からコマンドを受信すると、捕捉チャネルにチューンする。概して、捕捉チャネルは、サービングキャリア上のサービングチャネルである。ただし、いくつかの代替態様では、セル選択データセット４１６の少なくとも一部分は、非サービングキャリア上の非サービングチャネル上で取得され得る。
【００５１】
捕捉チャネルのために様々なタイプの物理チャネルが採用され得る。たとえば、捕捉チャネルは、本開示の少なくとも１つの態様では、パイロットチャネル、制御チャネル、ブロードキャストチャネル、プリアンブルチャネル、データチャネル、またはそれらの好適な組合せを備える。より具体的な例として、捕捉チャネルは、同期チャネルまたはビーコンチャネルを備えるパイロットチャネル、あるいは物理ダウンリンク制御チャネル（ＰＤＣＣＨ）などの物理ダウンリンクチャネルを備える制御チャネルであり得る。さらに他の例では、捕捉チャネルは、物理ブロードキャストチャネルを備えるブロードキャストチャネルまたはプリアンブルチャネル、あるいは物理ダウンリンク共有チャネルを備えるデータチャネルであり得る。同様に、様々なワイヤレスアクセスシステムのための他の好適な例が存在することがある。
【００５２】
上記に加えて、ハンドオーバ装置４０６は、少なくとも部分的に、サービングキャリアから非サービングキャリアへのハンドオーバを実行すべきかどうかを判断するために、セル選択データセット４１６を採用する、決定モジュール４１８を備えることができる。その判断は、セル選択データセット４１６内に含まれる情報だけに基づくか、またはＵＥ４０２によって実行される非サービングキャリアの１つまたは複数のダウンリンク信号測定に関連したそのような情報に基づき得る。前者の場合、本開示の特定の態様によれば、セル選択データセット４１６は、非サービングキャリアへのハンドオーバを実行するようにＵＥ４０２に命令する、サービング基地局（たとえば、基地局４０４）からのハンドオーバコマンドを少なくとも部分的に含む。このハンドオーバコマンドは、非サービングキャリアのワイヤレスチャネルに関係する条件が満たされたことを示す、サービング基地局によって実行された分析に基づき得る。この条件は、たとえば、非サービングキャリアに関係する絶対的条件、またはサービング基地局によって採用されるサービングキャリアと少なくとも非サービングキャリアを比較する相対的条件であり得る。後者の場合、ハンドオーバ装置４０６は、以下の図５において以下でより詳細に説明するように、少なくとも部分的に、非サービングキャリアへのモバイル開始型ハンドオーバを実行するために、セル選択データセット４１６を採用することができる。
【００５３】
図５に、ワイヤレス通信インターフェースを介して１つまたは複数の基地局５０４に通信可能に結合されたＵＥ５０２を備える例示的なシステム５００のブロック図を示す。（１つまたは複数の）基地局５０４はサービングキャリア周波数のＤＬサブフレーム上で送信し、ＵＥ５０２はサービングキャリア周波数のＵＬサブフレーム上で応答する。さらに、ＵＥ５０２は、（１つまたは複数の）基地局５０４の近傍の１つまたは複数の追加の基地局（図示せず）によって採用される追加のキャリア周波数に関係するモビリティ関係の情報を取得するように構成され得る。詳細には、追加のキャリア周波数は、ＵＥ５０２とのアクセス通信のために（１つまたは複数の）基地局５０４によって採用されず、したがって、非サービングキャリア、または隣接キャリアなどである。
【００５４】
ＵＥ５０２は、（たとえば、１つまたは複数の入出力インターフェースを備える）信号を受信する少なくとも１つのアンテナ５０６と、受信した信号に対して典型的なアクション（たとえば、フィルタ処理、増幅、ダウンコンバートなど）を実行する（１つまたは複数の）受信機５０８とを含む。概して、アンテナ５０６および送信機５３０（トランシーバと総称される）は、（１つまたは複数の）ホームＢＳ５０４とのワイヤレスデータ交換を可能にするように構成され得る。さらに、アンテナ５０６、送信機５３０、受信機５０８、復調器５１０および変調器５２８は、データプロセッサ５１２およびハンドオーバ装置５１６を含む、ＵＥ５０２の様々なコンポーネントによって、ワイヤレス通信インターフェースとして採用され得る。
【００５５】
アンテナ５０６および（１つまたは複数の）受信機５０８はまた、受信シンボルを復調し、そのような信号を評価のために（１つまたは複数の）データプロセッサ５１２に供給することができる復調器５１０に結合され得る。（１つまたは複数の）データプロセッサ５１２は、ＵＥ５０２の１つまたは複数のコンポーネント（アンテナ５０６、受信機５０８、復調器５１０、メモリ５１４、ハンドオーバ装置５１６、変調器５２８、送信機５３０）を制御および／または参照することができることを諒解されたい。さらに、（１つまたは複数の）データプロセッサ５１２は、ＵＥ５０２の機能を実行することに関係する情報または制御を備える１つまたは複数のモジュール、アプリケーション、エンジンなどを実行することができる。
【００５６】
さらに、ＵＥ５０２のメモリ５１４は（１つまたは複数の）データプロセッサ５１２に動作可能に結合される。メモリ５１４は、送信、受信などすべきデータと、リモートデバイス（たとえば、（１つまたは複数の）基地局５０４）とのワイヤレス通信を行うのに適した命令とを記憶することができる。詳細には、その命令は、ワイヤレスネットワークにおいてキャリア間モビリティを可能にするために利用され得る。さらに、図示されていないが、メモリ５１４は、上記の、ハンドオーバ装置５１６に関連し、（１つまたは複数の）プロセッサ５１２によって実行される、モジュール、アプリケーション、エンジンなど（たとえば、捕捉モジュール５１８、決定モジュール５２０、分析モジュール５２２、測定モジュール５２４、タイミングモジュール５２６）を記憶することができる。
【００５７】
特定の態様によれば、ＵＥ５０２は、１つまたは複数の非サービングキャリア周波数に関係するキャリア間ハンドオーバ判断を可能にするハンドオーバ装置５１６を備えることができる。これらの判断は、少なくとも部分的に、（１つまたは複数の）基地局５０４によって与えられるサービングキャリア周波数上で非サービングキャリア周波数（または複数の非サービングキャリア周波数）に関係するデータを取得することによって、行われ得る。一態様では、上記データは、非サービングキャリアへのハンドオーバを行うためのコマンドを備えることができる。別の態様では、上記データは、非サービングキャリアにハンドオーバすべきかどうかを判断するためにＵＥ５０２によって採用される情報を備えることができる。さらに別の態様では、上記データは、他の情報またはＵＥ５０２によって実行される測定に結合された、ハンドオーバを行うための判断を可能にする、情報を備えることができる。さらに、一態様では、ハンドオーバ装置５１６は、上記の図４のハンドオーバ装置４０６と実質的に同様であり得る。ただし、本開示はこの態様に限定されない。
【００５８】
ハンドオーバ装置５１６は、非サービングキャリアに関与するモバイルハンドオーバ決定に関係するセル選択データセットを取得する捕捉モジュール５１８と、少なくとも部分的に、サービングキャリアから非サービングキャリアへのハンドオーバを実行すべきかどうかを判断するために、セル選択データセットを採用する、決定モジュール５２０とを備えることができる。この判断を実装するために、ハンドオーバ装置５１６は、ハンドオーバの条件が満たされたかどうかを判断するために非サービングキャリアのワイヤレスチャネルの特性を分析する測定モジュール５２４を備えることができる。ハンドオーバの条件が満たされた場合、決定モジュール５２０はハンドオーバを実行することを判断する。他の場合、ＵＥ５０２は、（１つまたは複数の）基地局５０４とのリンクを維持し、非サービングキャリアへのハンドオーバを実行しない。本開示の一態様では、ハンドオーバの条件は、測定モジュール５２４によって実行されるワイヤレスチャネルのダウンリンク信号の分析に基づいて満たされる。この分析の結果は、ワイヤレスチャネルの特性が（所定の絶対値、またはサービングキャリアの特性に基づく相対値であり得る）しきい値を超えたかどうかを判断するために使用され得る。好適な例として、この特性は、ワイヤレスチャネルのダウンリンク信号の送信エネルギー、ワイヤレスチャネルのパスロス、ワイヤレスチャネルの実効ジオメトリ、ワイヤレスチャネルの予想データレート、またはワイヤレスチャネルの制御チャネル信頼性、またはそれらの好適な組合せを備えることができる。どの特性が分析されるべきかは、捕捉モジュール５１８によって受信されたセル選択データセットの一部として指定されるか、またはワイヤレスネットワークに最初に入ったときに（１つまたは複数の）基地局５０４によってＵＥ５０２にフォワーディングされ、後続の分析のためにメモリ５１４に記憶され得る。
【００５９】
本開示の別の態様では、ハンドオーバ装置５１６は、セル選択データセット中に含まれる情報に少なくとも部分的に基づいて非サービングキャリアのワイヤレスチャネルの特性を計算する分析モジュール５２２を備えることができる。この計算は、測定モジュール５２４によって実行されるワイヤレスチャネルの特性の分析の代わりであるか、またはその分析に関連し得る。詳細には、分析モジュール５２２は、非サービングキャリアに関係するデータのサブセットをセル選択データセットから抽出することができる。このサブセットは様々なタイプのデータを備えることができ、その例は、セルまたはキャリア負荷情報、電力クラス情報、ＣＳＧ情報、アンカーキャリア情報、完全または部分セル識別情報、アップリンクまたはダウンリンク上の、非サービングキャリア、またはそのサブバンド、チャネルもしくはＨＡＲＱインターレースの、番号、または識別子、非サービングキャリア上で典型的なモバイル端末に割り振られるリソースの一部分、非サービングキャリア、またはそのサブバンド、チャネルもしくはＨＡＲＱインターレースの干渉レベル、ダウンリンクまたはアップリンク上でのデータレート、ＱｏＳ保証、バックホール帯域幅、実効等方放射電力、最大電力増幅器出力電力、受信機雑音指数、あるいは基地局バッテリー電力レベル、あるいは非サービングキャリア上でのセル捕捉またはセル選択に関係する他の情報、あるいはそれらの好適な組合せを含むことができる。
【００６０】
さらに他の態様によれば、ハンドオーバ装置５１６はタイミングモジュール５２６を備えることができる。タイミングモジュール５２６は、非サービングキャリアデータの周期的受信と、非サービングキャリアデータの分析と、関連するハンドオーバ判断とを開始するように構成され得る。詳細には、タイミングモジュール５２６は、更新された非サービングキャリアデータを受信するために、非サービングキャリアに関連する特定の期間に、（１つまたは複数の）基地局５０４によって指定された捕捉チャネルにチューンするように捕捉モジュール５１８に命令するモジュールであるように構成され得る。この期間は、同様に（１つまたは複数の）基地局５０４によって指定されるか、あるいはワイヤレスネットワーク仕様によって確立されるレイヤ２またはレイヤ３シグナリングを介して（１つまたは複数の）基地局５０４によって中継され得る。さらに、タイミングモジュール５２６は、非サービングキャリアデータを分析するために、または非サービングチャネル測定を実行するために、それぞれ分析モジュール５２２または測定モジュール５２４を開始して、上記で説明したように、決定モジュール５２０がハンドオーバ判断を実行するのを支援することができる。
【００６１】
上述のシステム、ワイヤレス通信環境、または装置について、いくつかのコンポーネント、モジュールおよび／または通信インターフェースの間の対話に関して説明した。そのようなシステムおよびコンポーネント／モジュール／インターフェースは、本明細書で指定されたコンポーネント／モジュールまたはサブモジュール、指定されたコンポーネント／モジュールまたはサブモジュールの一部、および／あるいは追加のコンポーネント／モジュールを含むことができることを諒解されたい。たとえば、ワイヤレス通信システムは、非サービング基地局１０８と、キャリア間モビリティ装置２０８を備えるサービング基地局２０２と、ハンドオーバ装置５１６を備えるＵＥ５０２とを含むことができ、あるいはこれらまたは他のエンティティの異なる組合せを含むことができる。また、サブモジュールは、親モジュール内に含まれるのではなく、他のモジュールに通信可能に結合されたモジュールとして実装され得る。さらに、１つまたは複数のモジュールを組み合わせて、集約機能を提供する単一のモジュールにすることができることに留意されたい。たとえば、非サービングキャリアに関係するセル捕捉データを取得することと、単一のコンポーネントとしてそのデータの少なくともサブセットを送信することとを可能にするために、捕捉モジュール２１８がブロードキャストモジュール２２０を含むことができ、またはその逆も同様である。また、コンポーネントは、本明細書では具体的に説明していないが当業者に知られている１つまたは複数の他のコンポーネントと対話することができる。
【００６２】
さらに、諒解されるように、開示した上記のシステムおよび下記の方法の様々な部分は、人工知能、または知識ベースもしくはルールベースのコンポーネント、下位コンポーネント、プロセス、手段、方法、または機構（たとえば、サポートベクターマシン、ニューラルネットワーク、エキスパートシステム、ベイジアン信念ネットワーク（Bayesian belief network）、ファジィ論理、データ融合エンジン、クラシファイヤ．．．）を含むか、またはそれらからなり得る。そのようなコンポーネントは、特に、および本明細書ですでに説明したものに加えて、システムおよび方法の部分をより適応的ならびに効率的で知的にするために、そのようなコンポーネントによって実行されるいくつかの機構またはプロセスを自動化することができる。
【００６３】
上記で説明した例示的なシステムに鑑みて、開示する主題に従って実施され得る方法は、図６〜図９のフローチャートを参照すればより良く諒解されよう。説明を簡単にするために、方法を一連のブロックとして図示および説明するが、いくつかのブロックは、本明細書で図示および説明するのとは異なる順序で、および／または他のブロックと同時に、行われ得るので、請求する主題はブロックの順序によって限定されないことを理解および諒解されたい。その上、以下で説明する方法を実施するために、図示されたすべてのブロックが必要とされるわけではないことがある。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００６４】
図６に、１つまたは複数の開示する態様による例示的な方法６００のフローチャートを示す。６０２において、方法６００は、第１のキャリア周波数上で動作しているモバイル端末をサービスするために基地局によって採用される第１のキャリア周波数（たとえば、非サービングキャリア）に関係するセル選択データを取得することを備えることができる。６０４において、方法６００は、第１のキャリア周波数に関係するキャリア間ハンドオーバ判断を可能にするために、第２の基地局によって採用される第２のキャリア周波数（たとえば、サービングキャリア）上で動作しているモバイル端末にセル選択データを送信することを備えることができる。セル選択データは、本明細書で説明するように、モバイル端末についての、第２のキャリア周波数と第１のキャリア周波数とからのモビリティ決定に関係する様々なデータを含むことができることを諒解されたい。これらのモビリティ決定は、第２の基地局によって判断されるか、またはモバイル端末自体において判断され得る。
【００６５】
本開示のいくつかの態様では、セル選択データを送信することは、第２のキャリア周波数上で動作しているモバイル端末がそれを捕捉するように構成された第１のキャリア周波数のチャネル上でセル選択データを送信することをさらに備える。この場合、セル選択データを送信することは、モバイル端末がその送信を受信するように構成されるように、第１のキャリア周波数にチューンするためのオーダーを送信することによって先行され得る。他の態様では、セル選択データを送信することは、基地局のワイヤレストランシーバを第２のキャリア周波数にチューンさせることと、第２のキャリア周波数上でセル選択データを送信することとをさらに備える。少なくとも１つの特定の態様では、セル選択データを送信することは、キャリア間セル選択データのために利用される第１のキャリア周波数または第２のキャリア周波数のチャネルを採用することをさらに備える。例として、上記送信することは、上記送信することのためのパイロットチャネル、制御チャネル、ブロードキャストチャネル、プリアンブルチャネルまたはデータチャネル、またはそれらの好適な組合せを採用することを備える。別の態様では、上記チャネルは、第１のキャリア周波数に割り当てられた別個の周期性を用いて送信する低再使用チャネルを備える。この場合、モバイル端末が低再使用チャネルにチューンするためのオーダーが送られ得るか、または第２の基地局は単に上記周期性と低再使用チャネルの識別情報とをモバイル端末に与えることができ、次いで、モバイル端末は、与えられた周期性で低再使用チャネルをモニタすることができる。
【００６６】
少なくとも１つの態様では、第２のキャリア周波数を採用する第２の基地局は、第１のキャリア周波数上で動作しているモバイル端末のハンドオーバ決定を可能にすることができる。この場合、方法６００は、第１のキャリア周波数上で動作しているモバイル端末のうちの１つから第２のキャリア周波数に関係するセル選択データを受信することをさらに備えることができる。さらに、方法６００は、第１のキャリア周波数に関係する、送信エネルギーメトリック、パスロスメトリック、実効ジオメトリメトリック、予想データレートメトリック、または制御チャネル信頼性メトリック、またはそれらの好適な組合せを計算すること、またはそれらをモバイル端末のうちの１つから取得すること、ならびに第２のキャリア周波数に関係する同様のメトリックを計算することを備えることができる。これらのメトリックのうちの、いずれかまたは両方に基づいて、方法６００は、第１のキャリア周波数上で動作しているモバイル端末のうちの１つが第２のキャリア周波数へのハンドオーバを行うべきかどうかを判断することをさらに備えることができる。
【００６７】
図７に、本開示のさらなる態様による、キャリア間ハンドオーバ判断を可能にするための例示的な方法７００のフローチャートを示す。７０２において、方法７００は、サービングキャリアとは異なる隣接キャリアについてのセル選択データを取得することを備えることができる。７０４において、方法７００は、サービングキャリアについてのセル選択データを隣接キャリア上で動作している隣接基地局と共有することを備えることができる。７０６において、サービングキャリア上で動作しているモバイル端末のハンドオーバ判断が、ネットワーク指示型であるのか、またはモバイル指示型であるのかに関する判断が行われる。モバイル指示型ハンドオーバ判断の場合は、方法７００は７０８に進むことができ、他の場合は、方法７００は７１２に進む。
【００６８】
７０８において、方法７００は、サービングキャリア上で動作しているモバイル端末に関係する隣接キャリアについてのセル選択データのサブセットを識別することを備えることができる。７１０において、方法７００は、モバイルデバイスのモバイル指示型ハンドオーバ判断を可能にするためにセル選択データのサブセットをモバイルキャリアに送信することを備えることができる。隣接キャリアについてのセル選択データのサブセットを識別し、送信することによって、方法７００は、モバイル端末がハンドオーバ判断を行うために隣接キャリアにチューンアウェイする必要を低減または回避することができる。これにより、隣接キャリアにチューンアウェイすることに関連するバッテリー消費量、ならびにサービングキャリア上での信号測定値のギャップを低減することができる。
【００６９】
７１２において、方法７００は、場合によっては、モバイル端末が隣接キャリア上でチャネル測定を実行するためのオーダーを送信することがある。代替的に、方法７００は、モバイルがオーダーなしにチャネル測定を行うであろうという仮定の下に動作することができる。７１４において、方法７００は、モバイル端末によって実行されたチャネル測定から生じる測定データを受信することを備えることができる。７１６において、方法７００は、測定データをしきい値と比較すること、または代替態様では、隣接キャリアのメトリックがサービングキャリアの同様のメトリックをしきい値量だけ超えたかどうかを判断することを備えることができる。７１８において、方法７００は、測定データに少なくとも部分的に基づいてハンドオーバ決定を実行することを備えることができる。７２０において、方法７００は、測定データがしきい値を超えたか、またはサービングキャリアのメトリックがサービングキャリアの同様のメトリックをしきい値量だけ超えた場合、モバイル端末にハンドオーバコマンドを送信することを備えることができる。
【００７０】
図８に、モバイル通信においてキャリア間ハンドオーバ判断を実装するための例示的な方法８００のフローチャートを示す。８０２において、方法８００は、隣接ワイヤレスキャリアに関係するデータのセットを取得することを備えることができる。本開示の１つの特定の態様では、上記データのセットを取得することは、上記データのセットを取得することに関連して（たとえば、サービング基地局による）上記データのセットの送信に関連する周期性を採用することをさらに備えることができる。上記周期性は、たとえば、サービング基地局が上記データのセットを送信するための低再使用チャネル（たとえば、低再使用プリアンブル）を識別するために利用され得る。
【００７１】
さらに、８０４において、方法８００は、サービングワイヤレスキャリアから隣接ワイヤレスキャリアにハンドオーバすべきかどうかを判断することに関連して、モバイルデバイスによって利用されるサービングワイヤレスキャリアに関係する品質またはパフォーマンス情報を取得するか、あるいはそれを計算するためにデータプロセッサを採用することを備えることができる。一態様では、品質またはパフォーマンス情報を取得することは、キャリア間情報のために割り当てられたサービングワイヤレスキャリア上の所定のチャネルにチューンすることを備える。代替態様では、品質またはパフォーマンス情報を取得することは、上記データのセットのうちの少なくともサブセットを取得するために隣接ワイヤレスキャリアにチューンすることをさらに備える。この後者の態様では、品質またはパフォーマンス情報を取得することは、隣接ワイヤレスキャリアのダウンリンク信号を分析することと、隣接ワイヤレスキャリアのダウンリンク信号をサービングワイヤレスキャリアのダウンリンク信号と比較することとをさらに備えることができる。一例では、隣接ワイヤレスキャリアにチューンすることは、キャリア間情報のために割り当てられた隣接ワイヤレスキャリアの所定のチャネルにチューンすることをさらに備える。この例の１つの特定の態様では、隣接ワイヤレスキャリアの所定のチャネルにチューンすることは、上記チューンを実行するためのコマンドをサービング基地局から受信することをさらに備える。
【００７２】
本開示の１つまたは複数の他の態様では、方法８００は、少なくとも部分的に、サービングワイヤレスキャリアから隣接ワイヤレスキャリアへのハンドオーバを行うべきかどうかを判断するために、隣接ワイヤレスキャリアに関係する品質またはパフォーマンス情報セットを捕捉するために上記データのセットを採用することをさらに備えることができる。一例として、品質またはパフォーマンス情報セットを捕捉するために上記データのセットを採用することは、隣接ワイヤレスキャリアに関係する、送信エネルギーメトリック、パスロス、実効ジオメトリ、予想データレートまたは制御チャネル信頼性メトリックを計算することをさらに備える。この例によれば、方法８００は、上記計算の結果に少なくとも部分的に基づいて隣接ワイヤレスキャリアへのハンドオーバを行うべきかどうかを判断することをさらに備える。代替例では、方法８００は、代わりに、隣接ワイヤレスキャリアの分析およびサービングワイヤレスキャリアとの比較のために上記データのセットをサービング基地局にフォワーディングすることを備える。この代替例によれば、方法８００は、上記データのセットをフォワーディングすることに応答して隣接ワイヤレスキャリアへのハンドオーバを実行するための命令を取得することをさらに備える。
【００７３】
図９に、本開示のさらに他の態様による、キャリア間ハンドオーバ判断を実行するための例示的な方法９００のフローチャートを示す。９０２において、方法９００は、キャリア間ハンドオーバ判断のためにキャリア間選択チャネルにチューンするためのコマンドを受信することを備えることができる。９０４において、方法９００は、キャリア間選択チャネルが確立されたキャリアを識別することを備えることができる。一態様では、上記キャリアは、モバイルアクセス通信のためにサービング基地局によって採用されるキャリアであり得る。ただし、別の態様では、上記キャリアは、特にキャリア間選択チャネルのためにサービング基地局によって利用される別個のキャリアであり得る。
【００７４】
９０６において、方法９００は、識別されたキャリア上でキャリア間選択チャネルにチューンすることを備えることができる。９０８において、方法９００は、サービング基地局以外の基地局によって採用される非サービングキャリアに関係するセル選択データを取得することができる。非サービングキャリアは、モバイルアクセス通信のためにサービング基地局によって採用されるキャリアとは異なるが、少なくとも１つの態様では、特にキャリア間選択チャネルのためにサービング基地局によって利用される別個のキャリアであり得ることを諒解されたい。９１０において、キャリア間ハンドオーバ決定が、ネットワーク開始型であるのか、またはモバイル開始型であるのかに関する判断が行われる。モバイル開始型の場合、方法９００は９１２に進むことができる。他の場合、方法９００は９１６に進む。
【００７５】
９１２において、方法９００は、非サービングキャリアのダウンリンク信号メトリックを計算することと、場合によっては、モバイルアクセス通信のためにサービング基地局によって採用されるキャリアの第２のダウンリンク信号メトリックを計算することとを備えることができる。９１４において、非サービングキャリアについての計算されたダウンリンク信号メトリックに少なくとも部分的に基づいてハンドオーバ決定を行う。一例では、ハンドオーバ決定は、所定のしきい値に対する非サービングキャリアのダウンリンク信号メトリックの比較に基づき得る。別の例では、ハンドオーバ決定は、このダウンリンク信号メトリックと第２のダウンリンク信号メトリックとの比較に少なくとも部分的に基づき得る。
【００７６】
９１６において、方法９００は、非サービングキャリアに関係するセル選択データをサービング基地局に送信することを備えることができる。場合によっては、方法９００は、セル選択データに関連して非サービングキャリアに関係するダウンリンク信号メトリックを送信することをさらに備えることができる。９１８において、方法９００は、非サービングキャリアについてのハンドオーバ決定をサービング基地局から取得することを備えることができる。ハンドオーバ決定に基づいて、方法９００は、次いで、非サービングキャリアへのハンドオーバを実行すること、または代わりに、サービングキャリア上に残ることを備えることができる。
【００７７】
図１０および図１１に、本開示の態様による、ローカルＩＰネットワークのためのワイヤレス通信を可能にするように構成されたそれぞれの例示的な装置１０００、１１００を示す。たとえば、装置１０００、１１００は、少なくとも部分的に、ワイヤレス通信ネットワーク内に、および／またはノード、基地局、アクセスポイント、ユーザ端末、モバイルインターフェースカードに結合されたパーソナルコンピュータなどのワイヤレス受信機内に常駐することができる。装置１０００、１１００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００７８】
装置１０００は、ワイヤレスネットワークに結合されたモバイル端末のためのキャリア間ハンドオーバ判断を可能にすることを含む、装置１０００の特徴を実装するように構成された命令またはモジュールを記憶するためのメモリ１００２と、それらの命令またはモジュールを実行するためのプロセッサ１００８とを備える。詳細には、装置１０００は、第１のキャリア周波数上で動作している第１の基地局からセル選択データのセットを取得するためのモジュール１００４を備えることができる。モジュール１００４は、たとえば、セル選択データのセットを受信するために、第１の基地局とのワイヤードまたはワイヤレスリンクを介した通信のためのワイヤードまたはワイヤレスインターフェースを含むことができる。さらに、装置１０００は、第１のキャリア周波数に関係するキャリア間ハンドオーバ判断を可能にするために、第２の基地局によって採用される第２のキャリア周波数上で動作しているモバイル端末にセル選択データのセットのうちの少なくともサブセットを送信するためのモジュール１００６を備えることができる。本開示の少なくとも１つの態様では、装置１０００は、セル選択データのセットを取得し、セル選択データのセットのうちのサブセットをモバイル端末に送信するために、第２の基地局の一部として含まれ得る。別の態様では、装置１０００は、第２の基地局に（たとえば、第２の基地局に関連する基地局コントローラの一部として）通信可能に結合され得、装置１０００と第２の基地局とを結合する通信リンクを介してデータを第２の基地局と送信および受信することができる。
【００７９】
装置１１００は、モバイル端末のキャリア間モビリティ機能を実行または可能にすることを含む、装置１１００の特徴を実装するための命令またはモジュールを記憶するためのメモリ１１０２と、それらの命令またはモジュールを実行するためのプロセッサ１１１０とを備える。さらに、装置１１００は、隣接ワイヤレスキャリアに関係するデータのセットを取得するためのモジュール１１０４を備えることができる。隣接ワイヤレスキャリアは、たとえば、モバイル端末をサービスしている基地局（サービング基地局）以外の基地局によって採用される非サービングキャリアを備えることができる。さらに、モジュール１１０４は、サービング基地局によって採用されるサービングワイヤレスキャリアにモバイル端末のワイヤレス通信インターフェースをチューンさせることによって、またはサービング基地局によって指定された所定のキャリア間選択チャネルにワイヤレス通信インターフェースをチューンさせることによって、データのセットを取得することができる。さらに、装置１１００は、サービングワイヤレスキャリアに関係する品質またはパフォーマンス情報を取得するためのモジュール１１０６を備えることができる。一態様では、モジュール１１０６は、サービングワイヤレスキャリアのダウンリンク信号を分析し、ダウンリンク信号分析の品質またはパフォーマンス情報を導出するように構成され得る。別の態様では、品質またはパフォーマンス情報はキャリア間選択チャネルを介してモバイル端末に送信され得る。さらに、装置１１００は、隣接ワイヤレスキャリアとサービングワイヤレスキャリアとの分析に基づいてサービングワイヤレスキャリアから隣接ワイヤレスキャリアへのハンドオーバを行うためのモジュール１１０８を備えることができる。
【００８０】
図１２に、本明細書で開示するいくつかの態様による、ワイヤレス通信を可能にすることができる例示的なシステム１２００のブロック図を示す。ＤＬ上で、アクセスポイント１２０５において、送信（ＴＸ）データプロセッサ１２１０は、トラフィックデータを受信し、フォーマットし、コーディングし、インターリーブし、変調し（またはシンボルマッピングし）、変調シンボル（「データシンボル」）を供給する。シンボル変調器１２１５は、データシンボルおよびパイロットシンボルを受信し、処理し、シンボルのストリームを供給する。シンボル変調器１２１５は、データおよびパイロットシンボルを多重化し、それらを送信機ユニット（ＴＭＴＲ）１２２０に供給する。各送信シンボルは、データシンボル、パイロットシンボル、または信号値０とすることができる。パイロットシンボルは各シンボル期間中に連続的に送信され得る。パイロットシンボルは、周波数分割多重化（ＦＤＭ）、直交周波数分割多重化（ＯＦＤＭ）、時分割多重化（ＴＤＭ）、符号分割多重化（ＣＤＭ）され得、あるいはそれらまたは同様の変調および／または送信技法の適切な組合せとすることができる。
【００８１】
ＴＭＴＲ１２２０は、シンボルのストリームを受信し、１つまたは複数のアナログ信号に変換し、さらにアナログ信号を調整（たとえば、増幅、フィルタ処理、および周波数アップコンバート）して、ワイヤレスチャネル上での送信に好適なＤＬ信号を生成する。次いで、ＤＬ信号はアンテナ１２２５を介して端末に送信される。端末１２３０において、アンテナ１２３５は、ＤＬ信号を受信し、受信信号を受信機ユニット（ＲＣＶＲ）１２４０に供給する。受信機ユニット１２４０は、受信信号を調整（たとえば、フィルタ処理、増幅、周波数ダウンコンバート）し、調整された信号をデジタル化して、サンプルを取得する。シンボル復調器１２４５は、受信したパイロットシンボルを復調し、チャネル推定のためにプロセッサ１２５０に供給する。シンボル復調器１２４５は、さらに、プロセッサ１２５０からＤＬに関する周波数応答推定値を受信し、受信データシンボルに対してデータ復調を実行して、（送信データシンボルの推定値である）データシンボル推定値を取得し、データシンボル推定値をＲＸデータプロセッサ１２５５に供給し、ＲＸデータプロセッサ１２５５は、データシンボル推定値を復調（すなわち、シンボルデマッピング）し、デインターリーブし、復号して、送信トラフィックデータを復元する。シンボル復調器１２４５およびＲＸデータプロセッサ１２５５による処理は、アクセスポイント１２０５における、それぞれ、シンボル変調器１２１５およびＴＸデータプロセッサ１２１０による処理と相補的なものである。
【００８２】
ＵＬ上で、ＴＸデータプロセッサ１２６０がトラフィックデータを処理し、データシンボルを供給する。シンボル変調器１２６５は、データシンボルを受信し、パイロットシンボルと多重化し、変調を実行し、シンボルのストリームを供給する。次いで、送信機ユニット１２７０は、シンボルのストリームを受信し、処理して、ＵＬ信号を生成し、そのＵＬ信号はアンテナ１２３５によってアクセスポイント１２０５に送信される。詳細には、ＵＬ信号は、ＳＣ−ＦＤＭＡ要件に従うことができ、本明細書で説明する周波数ホッピング機構を含むことができる。
【００８３】
アクセスポイント１２０５において、端末１２３０からのＵＬ信号がアンテナ１２２５によって受信され、受信機ユニット１２７５によって処理されて、サンプルが取得される。次いで、シンボル復調器１２８０が、それらのサンプルを処理し、ＵＬに関する受信パイロットシンボルおよびデータシンボル推定値を供給する。ＲＸデータプロセッサ１２８５は、データシンボル推定値を処理して、端末１２３０によって送信されたトラフィックデータを復元する。プロセッサ１２９０は、ＵＬ上で送信している各アクティブ端末についてチャネル推定を実行する。複数の端末が、パイロットサブバンドのそれらのそれぞれの割り当てられたセット上でパイロットをＵＬ上で同時に送信することができ、パイロットサブバンドセットはインターレースされ得る。
【００８４】
プロセッサ１２９０および１２５０は、それぞれアクセスポイント１２０５および端末１２３０上の操作を指示（たとえば制御、調整、管理など）する。それぞれのプロセッサ１２９０および１２５０は、プログラムコードおよびデータを記憶するメモリユニット（図示せず）に結合され得る。プロセッサ１２９０および１２５０はまた、それぞれＵＬおよびＤＬについての周波数および時間ベースのインパルス応答推定値を導出するための計算を実行することができる。
【００８５】
多元接続システム（たとえば、ＳＣ−ＦＤＭＡ、ＦＤＭＡ、ＯＦＤＭＡ、ＣＤＭＡ、ＴＤＭＡなど）の場合、複数の端末がＵＬ上で同時に送信することができる。そのようなシステムの場合、パイロットサブバンドを異なる端末の間で共有することができる。各端末のためのパイロットサブバンドが（場合によっては、帯域エッジを除いて）動作帯域全体にわたる場合、チャネル推定技術を使用することができる。そのようなパイロットサブバンド構造は、端末ごとに周波数ダイバーシティを得るために望ましいであろう。
【００８６】
本明細書で説明する技法は様々な手段によって実装され得る。たとえば、これらの技法はハードウェア、ソフトウェア、またはそれらの組合せで実装され得る。ハードウェア実装の場合、それはデジタル、アナログ、デジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、あるいはそれらの組合せの中で実装され得る。ソフトウェアでは、本明細書で説明する機能を実行するモジュール（たとえば、プロシージャ、関数など）によって実装することができる。ソフトウェアコードは、メモリユニットに記憶され、プロセッサ１２９０および１２５０によって実行され得る。
【００８７】
図１３に、たとえば１つまたは複数の態様とともに利用され得る、複数の基地局１３１０（たとえば、ワイヤレスアクセスポイント、ワイヤレス通信装置）および複数の端末１３２０（たとえば、ＡＴ）をもつワイヤレス通信システム１３００を示す。基地局１３１０は、概して、端末と通信する固定局であり、特定の用語が周りのコンテキストによって暗示される場合を除いて、互換的にアクセスポイント、ノードＢ、または何らかの他の用語で呼ばれ得る。各基地局１３１０は、図１３において１３０２ａ、１３０２ｂ、および１３０２ｃと標示された３つの地理的エリアとして示された、特定の地理的エリアまたはカバレージエリアの通信カバレージを与える。「セル」という用語は、その用語が使用されるコンテキストに応じてＢＳまたはそのカバレージエリアを指すことができる。システム容量を改善するために、ＢＳの地理的エリア／カバレージエリアは、複数のより小さいエリア（たとえば、図１３のセル１３０２ａによる、３つの、より小さいエリア）１３０４ａ、１３０４ｂ、および１３０４ｃに分割され得る。各々のより小さいエリア（１３０４ａ、１３０４ｂ、１３０４ｃ）は、それぞれのベーストランシーバサブシステム（ＢＴＳ）によってサービスされ得る。「セクタ」という用語は、その用語が使用されるコンテキストに応じてＢＴＳまたはそのカバレージエリアを指すことができる。セクタ化されたセルの場合、そのセルのすべてのセクタのＢＴＳは、典型的には、そのセルの基地局内に共設される。本明細書で説明する送信技法は、セクタ化されたセルをもつシステムならびにセクタ化されないセルをもつシステムに使用され得る。簡単のために、本明細書では、別段の規定がない限り、「基地局」という用語は、セクタをサービスする固定局、ならびにセルをサービスする固定局に対して総称的に使用する。
【００８８】
端末１３２０は、一般に、システム全体にわたって分散され、各端末１３２０は固定でも移動でもよい。端末１３２０は、移動局、ユーザ機器、ユーザデバイス、ワイヤレス通信装置、アクセス端末、ユーザ端末または何らかの他の用語で呼ばれることもある。端末１３２０は、ワイヤレスデバイス、セルラー電話、携帯情報端末（ＰＤＡ）、ワイヤレスモデムカードなどとすることができる。各端末１３２０は、所与の瞬間において、ダウンリンク（たとえば、ＦＬ）およびアップリンク（たとえば、ＲＬ）上の０、１つ、または複数の基地局１３１０と通信することができる。ダウンリンクは、基地局から端末への通信リンクを指し、アップリンクは、端末から基地局への通信リンクを指す。
【００８９】
集中型アーキテクチャの場合、システムコントローラ１３３０が、基地局１３１０に結合し、基地局１３１０の調整および制御を行う。分散アーキテクチャの場合、基地局１３１０は、必要に応じて（たとえば、基地局１３１０を通信可能に結合するワイヤードまたはワイヤレスバックホールネットワークを通して）互いに通信することができる。順方向リンク上のデータ送信は、しばしば１つのアクセスポイントから１つのアクセス端末に、順方向リンクまたは通信システムによってサポートされ得る最大データレートで、またはその近くで行われる。順方向リンクの追加のチャネル（たとえば、制御チャネル）は、複数のアクセスポイントから１つのアクセス端末に送信され得る。逆方向リンクのデータ通信は、１つのアクセス端末から１つまたは複数のアクセスポイントに行われることがある。
【００９０】
図１４は、様々な態様による、計画または半計画ワイヤレス通信環境１４００の図である。ワイヤレス通信環境１４００は、ＨＮＢ１４１０を含む複数のアクセスポイントＢＳを含み、アクセスポイントＢＳの各々は、対応する小規模ネットワーク環境に設置される。小規模ネットワーク環境の例には、ユーザ居住地、事業所、屋内／屋外設備１４３０などがあり得る。ＨＮＢ１４１０は、（たとえば、ＨＮＢ１４１０に関連するＣＳＧ中に含まれる）関連するＵＥ１４２０、または随意に（たとえば、ＨＮＢ１４１０のＣＳＧ用に構成されていない）外来またはビジターＵＥ１４２０をサービスするように構成され得る。各ＨＮＢ１４１０は、さらに、ＤＳＬルータ（図示せず）、あるいは、代替的に、ケーブルモデム、電力線を介したブロードバンド接続、衛星インターネット接続、または同様のブロードバンドインターネット接続（図示せず）を介してインターネット１４４０とモバイル事業者コアネットワーク１４５０とに結合される。
【００９１】
ＨＮＢ１４１０を介したワイヤレスサービスを実装するために、ＨＮＢ１４１０の所有者は、モバイル事業者コアネットワーク１４５０を介して提供される、３Ｇモバイルサービスなどのモバイルサービスに加入する。また、ＵＥ１４２０は、本明細書で説明する様々な技法を利用して、マクロセルラー環境および／または宅内小規模ネットワーク環境において動作することができる。したがって、少なくともいくつかの開示する態様では、ＨＮＢ１４１０は任意の適切な既存のＵＥ１４２０と後方互換性があり得る。さらに、モバイル事業者コアネットワーク１４５０のマクロセル１４５５に加えて、ＵＥ１４２０は、所定数のＨＮＢ１４１０、特に、対応する（１つまたは複数の）ユーザ居住地、（１つまたは複数の）事業所、あるいは屋内／屋外設備１４３０内に常駐するＨＮＢ１４１０によってサービスされ得る。いくつかの態様では、ＵＥ１４２０は、ＨＮＢ１４１０のうちの１つまたは複数によってサービスされている間、マクロセル１４５５とのソフトハンドオーバ状態になることができない。本明細書で説明する態様は３ＧＰＰ用語を採用しているが、態様は、３ＧＰＰ技術（リリース９９［Ｒｅｌ９９］、Ｒｅｌ５、Ｒｅｌ６、Ｒｅｌ７）、ならびに３ＧＰＰ２技術（１ｘＲＴＴ、１ｘＥＶ−ＤＯ  Ｒｅｌ０、ＲｅｖＡ、ＲｅｖＢ）および他の知られている関連する技術にも適用され得ることを理解すべきであることを諒解されたい。
【００９２】
本開示において使用する、「コンポーネント」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別のコンポーネントと対話する、またはインターネットなどのネットワーク上で信号を介して他のシステムと対話する１つのコンポーネントからのデータ）を有する信号に従ってローカルプロセスまたはリモートプロセスを介して通信することができる。さらに、当業者なら諒解するように、本明細書で説明するシステムのコンポーネントまたはモジュールは、それに関して説明する様々な態様、目的、利点などを達成することができるように追加のコンポーネント／モジュール／システムによって再構成または補完され得、所与の図に記載の正確な構成に限定されない。
【００９３】
さらに、本明細書では、様々な態様について、ＵＥに関して説明する。ＵＥは、システム、加入者ユニット、加入者局、移動局、モバイル、モバイル通信デバイス、モバイルデバイス、リモート局、リモート端末、ＡＴ、ユーザエージェント（ＵＡ）、ユーザデバイス、またはユーザ端末（ＵＴ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００９４】
１つまたは複数の例示的な実施形態では、説明する機能は、ハードウェア、ソフトウェア、ファームウェア、ミドルウェア、マイクロコード、またはそれらの適切な組合せで実装され得る。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の物理媒体であり得る。限定ではなく例として、そのようなコンピュータ記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、スマートカード、およびフラッシュメモリデバイス（たとえば、カード、スティック、キードライブ．．．）、あるいは命令またはデータ構造の形態の所望のプログラムコードを搬送または記憶するために使用され得、コンピュータによってアクセスされ得る、任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９５】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェアコンポーネント、汎用プロセッサ、コントローラ、マイクロコントローラ、マイクロプロセッサ、本明細書で説明する機能を実行するように設計された他の電子ユニット、あるいはそれらの組合せの中で実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成として実装され得る。さらに、少なくとも１つのプロセッサは、本明細書で説明するステップおよび／またはアクションのうちの１つまたは複数を実行するように動作可能な１つまたは複数のモジュールを備えることができる。
【００９６】
さらに、本明細書で説明する様々な態様または特徴は、標準のプログラミングおよび／またはエンジニアリング技法を使用した方法、装置、または製造品として実装され得る。さらに、本明細書で開示する態様に関して説明する方法またはアルゴリズムのステップおよび／またはアクションは、直接ハードウェアで実施されるか、プロセッサによって実行されるソフトウェアモジュールで実施されるか、またはその２つの組合せで実施され得る。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。本明細書で使用する「モジュール」または「装置」という用語は、少なくとも１つの態様では、任意の好適なコンピュータ可読デバイスまたは媒体からアクセス可能なコンピュータプログラムを包含するものとする。
【００９７】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを使用する」は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００９８】
さらに、本明細書で使用する「推論する」または「推論」という用語は、概して、事象またはデータを介して捕捉される観測のセットから、システム、環境、またはユーザの状態を推理または推論するプロセスを指す。推論は、特定のコンテキストまたはアクションを識別するために使用され得、あるいは、たとえば、状態の確率分布を生成することができる。推論は、確率的、すなわち、データおよび事象の考察に基づく当該の状態の確率分布の計算とすることができる。推論は、事象またはデータのセットからより高いレベルの事象を構成するために採用される技法を指すこともある。そのような推論から、事象が時間的に近接して相関するか否かにかかわらず、ならびに事象およびデータが１つまたは複数の事象およびデータの発生源に由来するか否かにかかわらず、観測された事象および／または記憶された事象データのセットから新しい事象またはアクションが構成される。
【００９９】
以上の説明は、請求する主題の態様の例を含む。もちろん、請求する主題について説明する目的でコンポーネントまたは方法のあらゆる考えられる組合せについて説明することは不可能であるが、開示した主題の多数のさらなる組合せおよび置換が可能であることを、当業者なら認識されよう。したがって、開示した主題は、添付の特許請求の範囲の趣旨および範囲内に入るすべてのそのような改変形態、変更形態および変形形態を包含するものとする。さらに、「含む（include）」、「有する（has）」または「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
【図１】
2014222914.tif 000003
【図２】
2014222914.tif 000004
【図３】
2014222914.tif 000005
【図４】
2014222914.tif 000006
【図５】
2014222914.tif 000007
【図６】
2014222914.tif 000008
【図７】
2014222914.tif 000009
【図８】
2014222914.tif 000010
【図９】
2014222914.tif 000011
【図１０】
2014222914.tif 000012
【図１１】
2014222914.tif 000013
【図１２】
2014222914.tif 000014
【図１３】
2014222914.tif 000015
【図１４】
2014222914.tif 000016
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の基地局によって採用される第１のキャリア周波数上で動作しているモバイル端末をサービスするために前記第１のキャリア周波数に関係するセル選択データを取得することと、
第２の基地局が、前記第２の基地局によって採用される第２のキャリア周波数上で動作しているモバイル端末に前記セル選択データを送信することと
を備え、前記モバイル端末は、前記セル選択データに基づいて前記第１のキャリア周波数にハンドオーバすべきかどうかを判断し、前記セル選択データの送信の周期性は、前記セル選択データが前記第２の基地局によって送信される特定のチャネルを判断するために前記モバイル端末によって利用され、前記特定のチャネルは低周波数再使用チャネルを備える、方法。
【請求項２】
前記セル選択データを送信することは、前記第２のキャリア周波数上で、または前記第２のキャリア周波数上で動作しているモバイル端末がそれを捕捉するように構成された前記第１のキャリア周波数のチャネル上で前記セル選択データを送信するために前記第２の基地局を採用することをさらに備える、
請求項１に記載の方法。
【請求項３】
セル選択データを送信することは、前記第２の基地局のワイヤレストランシーバを前記第２のキャリア周波数にチューンさせることと、前記第２のキャリア周波数上で前記セル選択データを送信することとをさらに備える、
請求項１に記載の方法。
【請求項４】
前記セル選択データを送信することは、前記第１のキャリア周波数に関係する、
セルまたはキャリア負荷情報、
電力クラス情報、
限定加入者グループ情報、
アンカーキャリア情報、
完全または部分セル識別情報、
アップリンクまたはダウンリンク上の、前記第１のキャリア周波数、またはそのサブバンド、チャネルもしくはハイブリッド自動再送要求インターレースの、番号、または識別子、
前記第１のキャリア周波数上で典型的なモバイル端末に割り振られるリソースの一部分、
前記第１のキャリア周波数、またはその前記サブバンド、前記チャネルもしくは前記ハイブリッド自動再送要求インターレースの干渉レベル、
前記ダウンリンクまたは前記アップリンク上でのデータレート、
サービス品質保証、
バックホール帯域幅、
実効等方放射電力、
最大電力増幅器出力電力、
受信機雑音指数、あるいは
基地局バッテリー電力レベル
のうちの少なくとも１つを送信することをさらに備える、請求項１に記載の方法。
【請求項５】
前記セル選択データを送信することは、キャリア間セル選択データのための前記第１のキャリア周波数または前記第２のキャリア周波数のチャネルを採用することをさらに備える、
請求項１に記載の方法。
【請求項６】
前記セル選択データを送信することは、パイロットチャネル、制御チャネル、ブロードキャストチャネル、プリアンブルチャネルまたはデータチャネルを採用することをさらに備える、
請求項５に記載の方法。
【請求項７】
前記パイロットチャネルが同期チャネルまたはビーコンチャネルを備えること、
前記制御チャネルが物理ダウンリンク制御チャネルを備えること、
前記ブロードキャストチャネルまたは前記プリアンブルチャネルが物理ブロードキャストチャネルを備えること、あるいは
前記データチャネルが物理ダウンリンク共有チャネルを備えることのうちの少なくとも１つを備える、
請求項６に記載の方法。
【請求項８】
前記特定のチャネルは、前記第１のキャリア周波数に割り当てられる、
請求項５に記載の方法。
【請求項９】
前記第２のキャリア周波数上で動作している前記モバイル端末のうちの１つから前記第１のキャリア周波数に関係する前記セル選択データを受信することをさらに備える、
請求項１に記載の方法。
【請求項１０】
前記第１のキャリア周波数に関係する、送信エネルギーメトリック、パスロスメトリック、実効ジオメトリメトリック、予想データレートメトリックまたは制御チャネル信頼性メトリックを計算すること、またはそれらを前記モバイル端末のうちの１つから取得することをさらに備える、
請求項９に記載の方法。
【請求項１１】
少なくとも部分的に、前記第２のキャリア周波数上で動作している前記モバイル端末のうちの１つが前記第１のキャリア周波数へのハンドオーバを行うべきかどうかを判断するために、前記第１のキャリア周波数に関係する前記セル選択データを採用することをさらに備える、
請求項９に記載の方法。
【請求項１２】
ワイヤレス通信のために構成された装置であって、
ワイヤード電子通信と、少なくともサービングキャリア上でのワイヤレス電子通信とのための通信インターフェースと、
命令を記憶するためのメモリと、
前記命令を実装するためにモジュールを実行するためのデータプロセッサと
を備え、前記モジュールは、
非サービングキャリアに関与するモバイルハンドオーバ決定に関係するモビリティ情報のセットを取得する捕捉モジュールと、ここで、前記非サービングキャリアと前記サービングキャリアとは、ワイヤレスネットワーク内の別個の周波数である、
前記モビリティ情報のセットのうちの少なくともサブセットを送信するブロードキャストモジュールと
を備え、前記サービングキャリア上で動作しているユーザ機器は、前記モビリティ情報のセットのうちの前記サブセットに基づいて前記非サービングキャリアにハンドオーバすべきかどうかを判断し、前記モビリティ情報のセットのうちの前記少なくともサブセットの送信の周期性は、前記モビリティ情報のセットのうちの前記少なくともサブセットが前記ブロードキャストモジュールによって送信される特定のチャネルを判断するために前記ユーザ機器によって利用され、前記特定のチャネルは低周波数再使用チャネルを備える、装置。
【請求項１３】
前記通信インターフェースは、前記サービングキャリア上で動作している第１の基地局を前記非サービングキャリア上で動作している第２の基地局と結合するバックホールリンクへの電子インターフェースを備え、
前記捕捉モジュールは、前記バックホールリンクを介して前記第２の基地局から前記モビリティ情報のセットを取得する、
請求項１２に記載の装置。
【請求項１４】
前記通信インターフェースは、少なくとも前記非サービングキャリア上でのワイヤレス通信のために構成され、さらに、
前記捕捉モジュールは、前記非サービングキャリア上でのアップリンク送信から前記モビリティ情報のセットを取得するか、または
前記捕捉モジュールは、前記非サービングキャリアを採用するワイヤレスバックホールリンク上で非サービング基地局から前記モビリティ情報のセットを取得する、
請求項１２に記載の装置。
【請求項１５】
前記非サービングキャリア上でのダウンリンク信号のメトリックを計算するために前記モビリティ情報のセットのうちの少なくとも第２のサブセットを採用する計算モジュールをさらに備える、
請求項１２に記載の装置。
【請求項１６】
前記ダウンリンク信号の前記メトリックは、
前記ダウンリンク信号の送信エネルギーを示す送信エネルギーメトリック、
前記ユーザ機器と前記ダウンリンク信号を送信するエンティティとの間のチャネル利得を示すパスロス、
前記ユーザ機器における前記ダウンリンク信号の受信品質を示す実効ジオメトリメトリック、
前記ユーザ機器の達成可能なまたはサポートされるデータレートを示す予想データレート、または
前記非サービングキャリア上での制御チャネルの信頼性を示す制御チャネル信頼性メトリック
のうちの少なくとも１つを備える、請求項１５に記載の装置。
【請求項１７】
前記ダウンリンク信号の測定値をサブミットするように前記ユーザ機器に命令するクエリモジュールをさらに備える、
請求項１５に記載の装置。
【請求項１８】
前記モビリティ情報のセットのうちの前記サブセットは、前記ダウンリンク信号の前記メトリックを少なくとも部分的に備える、
請求項１５に記載の装置。
【請求項１９】
前記モビリティ情報のセットのうちの前記サブセットは、非サービングワイヤレスチャネルのメトリックを計算するために前記ユーザ機器によって採用される前記非サービングキャリアに関係するデータを含み、前記メトリックは、前記非サービングキャリアに関係するモビリティ決定において前記ユーザ機器によって利用される、
請求項１２に記載の装置。
【請求項２０】
前記ユーザ機器が前記非サービングキャリアへのハンドオーバを行うべきかどうかを判断するために前記非サービングキャリアのメトリックを採用するモビリティモジュールをさらに備える、
請求項１２に記載の装置。
【請求項２１】
前記モビリティ情報のセットのうちの前記サブセットは、前記非サービングキャリアへの前記ハンドオーバを行うためのオーダーを少なくとも部分的に備える、請求項２０に記載の装置。
【請求項２２】
前記捕捉モジュールは、前記非サービングキャリアに関係するモビリティ情報を周期的に取得し、前記ブロードキャストモジュールは、前記モビリティ情報を前記非サービングキャリアに固有のレートで周期的に送信する、
請求項１２に記載の装置。
【請求項２３】
ワイヤレス通信のために構成された装置であって、
第１のキャリア周波数上で動作している第１の基地局からセル選択データのセットを取得するための手段と、
前記装置によって採用される第２のキャリア周波数上で動作しているモバイル端末に前記セル選択データのセットのうちの少なくともサブセットを送信するための手段と
を備え、前記モバイル端末は、前記セル選択データのセットのうちの前記サブセットに基づいて前記第１のキャリア周波数にハンドオーバすべきかどうかを判断し、前記セル選択データのセットのうちの前記少なくともサブセットの送信の周期性は、前記セル選択データのセットのうちの前記少なくともサブセットが第２の基地局によって送信される特定のチャネルを判断するために、前記モバイル端末によって利用され、前記特定のチャネルは低周波数再使用チャネルを備える装置。
【請求項２４】
ワイヤレス通信のために構成された少なくとも１つのプロセッサであって、
第１のキャリア周波数上で動作している第１の基地局からセル選択データのセットを取得するためのモジュールと、
第２の基地局が、前記第２の基地局によって採用される第２のキャリア周波数上で動作しているモバイル端末に前記セル選択データのセットのうちの少なくともサブセットを送信するためのモジュールと
を備え、前記モバイル端末は、前記セル選択データの前記セットのうちの前記サブセットに基づいて前記第１のキャリア周波数にハンドオーバすべきかどうかを判断し、前記セル選択データのセットのうちの前記少なくともサブセットの送信の周期性は、前記セル選択データのセットのうちの前記少なくともサブセットが前記第２の基地局によって送信される特定のチャネルを判断するために前記モバイル端末によって利用され、前記特定のチャネルは低周波数再使用チャネルを備える、少なくとも１つのプロセッサ。
【請求項２５】
第１のキャリア周波数上で動作している第１の基地局からセル選択データのセットを取得することをコンピュータに行わせるためのコードと、
第２の基地局が、前記第２の基地局によって採用される第２のキャリア周波数上で動作しているモバイル端末に前記セル選択データのセットのうちの少なくともサブセットを送信することを前記コンピュータに行わせるためのコードと
を備え、前記モバイル端末は、前記セル選択データのセットのうちの前記サブセットに基づいて前記第１のキャリア周波数にハンドオーバすべきかどうかを判断し、前記セル選択データのセットのうちの前記少なくともサブセットの送信の周期性は、前記セル選択データのセットのうちの前記少なくともサブセットが前記第２の基地局によって送信される特定のチャネルを判断するために、前記モバイル端末によって利用され、前記特定のチャネルは低周波数再使用チャネルを備える、非一時的なコンピュータ可読媒体を備える、
コンピュータプログラム製品。
【請求項２６】
ワイヤレス通信の方法であって、
サービング基地局から隣接ワイヤレスキャリアに関係するデータのセットを取得することと、
前記サービング基地局によってサービスされるモバイルデバイスによって利用されるサービングワイヤレスキャリアに関係する品質またはパフォーマンス情報を取得するか、あるいはそれを計算するためにデータプロセッサを採用することと、
前記モバイルデバイスが、前記データのセットと前記品質またはパフォーマンス情報とに基づいて前記サービングワイヤレスキャリアから前記隣接ワイヤレスキャリアにハンドオーバすべきかどうかを判断することと
を備え、前記モバイルデバイスは、前記データのセットが送信される特定のチャネルを判断するために前記データのセットの送信の周期性を利用し、前記特定のチャネルは低周波数再使用チャネルを備える、方法。
【請求項２７】
前記品質またはパフォーマンス情報を取得することは、キャリア間情報のために割り当てられた前記サービングワイヤレスキャリア上の所定のチャネルにチューンすることをさらに備える、
請求項２６に記載の方法。
【請求項２８】
前記品質またはパフォーマンス情報を取得することは、前記データのセットのうちの少なくともサブセットを取得するために前記隣接ワイヤレスキャリアにチューンすることをさらに備える、
請求項２６に記載の方法。
【請求項２９】
キャリア間情報のために割り当てられた前記隣接ワイヤレスキャリアの所定のチャネルにチューンすることをさらに備える、
請求項２８に記載の方法。
【請求項３０】
前記隣接ワイヤレスキャリアの前記所定のチャネルにチューンすることは、前記チューンを実行するためのコマンドを前記サービング基地局から受信することをさらに備える、
請求項２９に記載の方法。
【請求項３１】
少なくとも部分的に、前記サービングワイヤレスキャリアから前記隣接ワイヤレスキャリアへのハンドオーバを行うべきかどうかを判断するために、前記隣接ワイヤレスキャリアに関係する品質またはパフォーマンス情報セットを捕捉するために前記データのセットを採用することをさらに備える、
請求項２６に記載の方法。
【請求項３２】
前記品質またはパフォーマンス情報セットを捕捉するために前記データのセットを採用することは、前記隣接ワイヤレスキャリアに関係する、送信エネルギーメトリック、パスロス、実効ジオメトリ、予想データレートまたは制御チャネル信頼性メトリックを計算することをさらに備える、
請求項３１に記載の方法。
【請求項３３】
前記計算の結果に少なくとも部分的に基づいて前記隣接ワイヤレスキャリアへのハンドオーバを行うべきかどうかを判断することをさらに備える、
請求項３２に記載の方法。
【請求項３４】
前記データのセットを取得することに関連して、前記データのセットの送信に関連する周期性を採用することをさらに備える、
請求項２６に記載の方法。
【請求項３５】
ワイヤレス通信のために構成された装置であって、
複数のワイヤレスキャリア上でワイヤレス信号を受信するためのワイヤレス通信インターフェースと、
命令を記憶するためのメモリと、
前記命令を実装するためにモジュールを実行するためのデータプロセッサと、
を備え、前記モジュールは、
サービング基地局から非サービングキャリアに関与するモバイルハンドオーバ決定に関係するセル選択データセットを取得するために、前記ワイヤレス通信インターフェースを捕捉チャネルにチューンさせる捕捉モジュールと、
少なくとも部分的に、サービングキャリアから前記非サービングキャリアへのハンドオーバを実行すべきかどうかを判断するために、前記セル選択データセットを採用する決定モジュールと
を備え、セル選択データセットの送信の周期性は前記セル選択データセットが送信される特定のチャネルを判断するために利用され、前記特定のチャネルは低周波数再使用チャネルを備える、装置。
【請求項３６】
前記捕捉モジュールは、前記サービングキャリア上で動作している前記サービング基地局からコマンドを受信すると、前記捕捉チャネルにチューンする、
請求項３５に記載の装置。
【請求項３７】
前記捕捉チャネルは、前記サービングキャリア上のサービングチャネルである、
請求項３５に記載の装置。
【請求項３８】
前記セル選択データセットは、前記非サービングキャリアのワイヤレスチャネルに関係する条件が満たされた場合、前記非サービングキャリアへの前記ハンドオーバを実行するように前記装置に命令する、前記サービング基地局からのハンドオーバコマンドを少なくとも部分的に含む、
請求項３５に記載の装置。
【請求項３９】
前記条件が満たされたかどうかを判断するために前記ワイヤレスチャネルの特性を分析する測定モジュールをさらに備え、前記条件が満たされた場合、前記決定モジュールは、前記ハンドオーバを実行することを判断する、
請求項３８に記載の装置。
【請求項４０】
前記ワイヤレスチャネルの前記特性がしきい値を超えた場合、前記条件が満たされ、前記特性は、
前記ワイヤレスチャネルのダウンリンク信号の送信エネルギー、
前記ワイヤレスチャネルのパスロス、
前記ワイヤレスチャネルの実効ジオメトリ、
前記ワイヤレスチャネルの予想データレート、
前記ワイヤレスチャネルの制御チャネル信頼性、またはそれらの組合せ
のうちの少なくとも１つを備える、請求項３９に記載の装置。
【請求項４１】
前記ワイヤレスチャネルの前記特性は、前記セル選択データセットの一部として指定される、
請求項３９に記載の装置。
【請求項４２】
前記セル選択データセットから前記非サービングキャリアの特性を計算する分析モジュールをさらに備え、前記セル選択データセットは、前記非サービングキャリアに関係し、
セルまたはキャリア負荷情報、
電力クラス情報、
限定加入者グループ情報、
アンカーキャリア情報、
完全または部分セル識別情報、
アップリンクまたはダウンリンク上の、前記非サービングキャリア、またはそのサブバンド、チャネルもしくはハイブリッド自動再送要求インターレースの、番号、または識別子、
前記非サービングキャリア上で典型的なモバイル端末に割り振られるリソースの一部分、
前記非サービングキャリア、またはその前記サブバンド、前記チャネルもしくは前記ハイブリッド自動再送要求インターレースの干渉レベル、
前記ダウンリンクまたは前記アップリンク上でのデータレート、
サービス品質保証、
バックホール帯域幅、
実効等方放射電力、
最大電力増幅器出力電力、
受信機雑音指数、あるいは
基地局バッテリー電力レベル
のうちの少なくとも１つを備える、請求項３５に記載の装置。
【請求項４３】
前記捕捉チャネルは、パイロットチャネル、制御チャネル、ブロードキャストチャネル、プリアンブルチャネル、データチャネル、またはそれらの組合せを備える、
請求項３５に記載の装置。
【請求項４４】
前記パイロットチャネルが同期チャネルまたはビーコンチャネルを備えること、
前記制御チャネルが物理ダウンリンクチャネルを備えること、
前記ブロードキャストチャネルまたは前記プリアンブルチャネルが物理ブロードキャストチャネルを備えること、あるいは
前記データチャネルが物理ダウンリンク共有チャネルを備えること
のうちの少なくとも１つを備える、請求項４３に記載の装置。
【請求項４５】
前記非サービングキャリアに関連する特定の期間に前記捕捉チャネルにチューンするように前記捕捉モジュールに命令するタイミングモジュールをさらに備える、
請求項３５に記載の装置。
【請求項４６】
ワイヤレス通信のためのモバイルデバイスであって、
サービング基地局から隣接ワイヤレスキャリアに関係するデータのセットを取得するための手段と、
前記サービング基地局によってサービスされる前記モバイルデバイスによって利用されるサービングワイヤレスキャリアに関係する品質またはパフォーマンス情報を取得するための手段と、
前記データのセットと前記品質またはパフォーマンス情報とに基づいて、前記サービングワイヤレスキャリアから前記隣接ワイヤレスキャリアにハンドオーバすべきかどうかを判断するための手段と
を備え、前記データのセットの送信の周期性は、前記データのセットが前記サービング基地局によって送信される特定のチャネルを判断するために前記モバイルデバイスによって利用され、前記特定のチャネルは低周波数再使用チャネルを備えるモバイルデバイス。
【請求項４７】
ワイヤレス通信のために構成されたモバイルデバイス内の少なくとも１つのプロセッサであって、
サービング基地局から隣接ワイヤレスキャリアに関係するデータのセットを取得するモジュールと、
前記サービング基地局によってサービスされる前記モバイルデバイスによって利用されるサービングワイヤレスキャリアに関係する品質またはパフォーマンス情報を生成するモジュールと、
前記データのセットと前記品質またはパフォーマンス情報とに基づいて前記サービングワイヤレスキャリアから前記隣接ワイヤレスキャリアにハンドオーバすべきかどうかを判断するモジュールと
を備え、前記データのセットの送信の周期性は、前記データのセットが前記サービング基地局によって送信される特定のチャネルを判断するために前記モバイルデバイスによって利用され、前記特定のチャネルは低周波数再使用チャネルを備える、少なくとも１つのプロセッサ。
【請求項４８】
モバイルデバイス内で、サービング基地局から隣接ワイヤレスキャリアに関係するデータのセットを取得することをコンピュータに行わせるためのコードと、
前記サービング基地局によってサービスされる前記モバイルデバイスによって利用されるサービングワイヤレスキャリアに関係する品質またはパフォーマンス情報を生成することを前記コンピュータに行わせるためのコードと、
前記データのセットと前記品質またはパフォーマンス情報とに基づいて前記サービングワイヤレスキャリアから前記隣接ワイヤレスキャリアにハンドオーバすべきかどうかを判断することを前記コンピュータに行わせるためのコードと
を備え、前記データのセットの送信の周期性は、前記データのセットが前記サービング基地局によって送信される特定のチャネルを判断するために前記モバイルデバイスによって利用され、前記特定のチャネルは低周波数再使用チャネルを備える、非一時的なコンピュータ可読媒体
を備える、コンピュータプログラム製品。
【請求項４９】
前記セル選択データのセットのうちの少なくとも第２のサブセットに基づいて前記第１のキャリア周波数上でのダウンリンク信号のメトリックを計算するための手段をさらに備える、
請求項２３に記載の装置。
【請求項５０】
前記ダウンリンク信号の前記メトリックは、
前記ダウンリンク信号の送信エネルギーを示す送信エネルギーメトリック、
ユーザ機器と前記ダウンリンク信号を送信するエンティティとの間のチャネル利得を示すパスロス、
前記ユーザ機器における前記ダウンリンク信号の受信品質を示す実効ジオメトリメトリック、
前記ユーザ機器の達成可能なまたはサポートされるデータレートを示す予想データレート、または
非サービングキャリア上での制御チャネルの信頼性を示す制御チャネル信頼性メトリック
のうちの少なくとも１つを備える、請求項４９に記載の装置。
【請求項５１】
前記セル選択データのセットのうちの前記サブセットは、前記ダウンリンク信号の前記メトリックを少なくとも部分的に備える、請求項４９に記載の装置。
【請求項５２】
前記データのセットから前記隣接ワイヤレスキャリアの特性を計算するための手段をさらに備え、前記データのセットは、前記隣接ワイヤレスキャリアに関係し、
セルまたはキャリア負荷情報、
電力クラス情報、
限定加入者グループ情報、
アンカーキャリア情報、
完全または部分セル識別情報、
アップリンクまたはダウンリンク上の、非サービングキャリア、またはそのサブバンド、チャネルもしくはハイブリッド自動再送要求インターレースの、番号、または識別子、
前記隣接ワイヤレスキャリア上で典型的なモバイル端末に割り振られるリソースの一部分、
前記非サービングキャリア、またはその前記サブバンド、前記チャネルもしくは前記ハイブリッド自動再送要求インターレースの干渉レベル、
前記ダウンリンクまたは前記アップリンク上でのデータレート、
サービス品質保証、
バックホール帯域幅、
実効等方放射電力、
最大電力増幅器出力電力、
受信機雑音指数、あるいは
基地局バッテリー電力レベル
のうちの少なくとも１つを備える、請求項４６に記載のモバイルデバイス。
【請求項５３】
前記データのセットは捕捉チャネル上で取得され、前記捕捉チャネルはパイロットチャネル、制御チャネル、ブロードキャストチャネル、プリアンブルチャネル、データチャネル、またはそれらの組合せを備える、
請求項４６に記載のモバイルデバイス。
【請求項５４】
前記パイロットチャネルが同期チャネルまたはビーコンチャネルを備えること、
前記制御チャネルが物理ダウンリンクチャネルを備えること、
前記ブロードキャストチャネルまたは前記プリアンブルチャネルが物理ブロードキャストチャネルを備えること、あるいは
前記データチャネルが物理ダウンリンク共有チャネルを備えること
のうちの少なくとも１つを備える、請求項５３に記載のモバイルデバイス。
【手続補正２】
【補正対象書類名】明細書
【補正対象項目名】００９９
【補正方法】変更
【補正の内容】
【００９９】
以上の説明は、請求する主題の態様の例を含む。もちろん、請求する主題について説明する目的でコンポーネントまたは方法のあらゆる考えられる組合せについて説明することは不可能であるが、開示した主題の多数のさらなる組合せおよび置換が可能であることを、当業者なら認識されよう。したがって、開示した主題は、添付の特許請求の範囲の趣旨および範囲内に入るすべてのそのような改変形態、変更形態および変形形態を包含するものとする。さらに、「含む（include）」、「有する（has）」または「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
以下に、本願出願の当初の特許請求の範囲に記載された発明を付記する。
［Ｃ１］
ワイヤレス通信の方法であって、
基地局によって採用される第１のキャリア周波数上で動作しているモバイル端末をサービスするために前記第１のキャリア周波数に関係するセル選択データを取得することと、
前記第１のキャリア周波数に関係するキャリア間ハンドオーバ判断を可能にするために、第２の基地局によって採用される第２のキャリア周波数上で動作しているモバイル端末に前記セル選択データを送信することと
を備える、方法。
［Ｃ２］
セル選択データを送信することは、前記第２のキャリア周波数上で、または前記第２のキャリア周波数上で動作しているモバイル端末がそれを捕捉するように構成された前記第１のキャリア周波数のチャネル上で前記セル選択データを送信するために前記第２の基地局を採用することをさらに備える、
［Ｃ１］に記載の方法。
［Ｃ３］
セル選択データを送信することは、前記基地局のワイヤレストランシーバを前記第２のキャリア周波数にチューンさせることと、前記第２のキャリア周波数上で前記セル選択データを送信することとをさらに備える、
［Ｃ１］に記載の方法。
［Ｃ４］
セル選択データを送信することは、前記第１のキャリア周波数に関係する、
セルまたはキャリア負荷情報、
電力クラス情報、
限定加入者グループ（ＣＳＧ）情報、
アンカーキャリア情報、
完全または部分セル識別情報、
アップリンク（ＵＬ）またはダウンリンク（ＤＬ）上の、前記第１のキャリア周波数、またはそのサブバンド、チャネルもしくはハイブリッド自動再送要求インターレース（ＨＡＲＱインターレース）の、番号、または識別子、
前記第１のキャリア周波数上で典型的なモバイル端末に割り振られるリソースの一部分、
前記第１のキャリア周波数、またはその前記サブバンド、前記チャネルもしくは前記ＨＡＲＱインターレースの干渉レベル、
前記ＤＬまたは前記ＵＬ上でのデータレート、
サービス品質保証（ＱｏＳ保証）、
バックホール帯域幅、
実効等方放射電力、
最大電力増幅器出力電力、
受信機雑音指数、あるいは
基地局バッテリー電力レベル
のうちの少なくとも１つを送信することをさらに備える、［Ｃ１］に記載の方法。
［Ｃ５］
前記セル選択データを送信することは、キャリア間セル選択データのために利用される前記第１のキャリア周波数または前記第２のキャリア周波数のチャネルを採用することをさらに備える、
［Ｃ１］に記載の方法。
［Ｃ６］
前記セル選択データを送信することは、パイロットチャネル、制御チャネル、ブロードキャストチャネル、プリアンブルチャネルまたはデータチャネルを採用することをさらに備える、
［Ｃ５］に記載の方法。
［Ｃ７］
前記パイロットチャネルが同期チャネルまたはビーコンチャネルを備えること、
前記制御チャネルが物理ダウンリンク制御チャネルを備えること、
前記ブロードキャストチャネルまたは前記プリアンブルチャネルが物理ブロードキャストチャネルを備えること、あるいは
前記データチャネルが物理ダウンリンク共有チャネルを備えることのうちの少なくとも１つを備える、
［Ｃ６］に記載の方法。
［Ｃ８］
前記チャネルは、前記第１のキャリア周波数に割り当てられた別個の周期性を用いて送信する低再使用チャネルを備える、
［Ｃ５］に記載の方法。
［Ｃ９］
前記第１のキャリア周波数上で動作している前記モバイル端末のうちの１つから前記第２のキャリア周波数に関係するセル選択データを受信することをさらに備える、
［Ｃ１］に記載の方法。
［Ｃ１０］
前記第１のキャリア周波数に関係する、送信エネルギーメトリック、パスロスメトリック、実効ジオメトリメトリック、予想データレートメトリックまたは制御チャネル信頼性メトリックを計算すること、またはそれらを前記モバイル端末のうちの１つから取得することをさらに備える、
［Ｃ９］に記載の方法。
［Ｃ１１］
少なくとも部分的に、前記第１のキャリア周波数上で動作している前記モバイル端末のうちの前記１つが前記第２のキャリア周波数へのハンドオーバを行うべきかどうかを判断するために、前記第２のキャリア周波数に関係する前記セル選択データを採用することをさらに備える、
［Ｃ９］に記載の方法。
［Ｃ１２］
ワイヤレス通信のために構成された装置であって、
ワイヤード電子通信と、少なくともサービングキャリア上でのワイヤレス電子通信とのための通信インターフェースと、
ワイヤレスネットワーク内でキャリア間モビリティを可能にするように構成された命令を記憶するためのメモリと、
前記命令を実装するためにモジュールを実行するためのデータプロセッサと
を備え、前記モジュールは、
非サービングキャリアに関与するモバイルハンドオーバ決定に関係するモビリティ情報のセットを取得する捕捉モジュールと、ここで、前記非サービングキャリアと前記サービングキャリアとは、前記ワイヤレスネットワーク内の別個の周波数である、
前記サービングキャリア上で動作しているユーザ機器（ＵＥ）のためのセル選択を可能にするために前記モビリティ情報のセットのうちの少なくともサブセットを送信するブロードキャストモジュールと
を備える、装置。
［Ｃ１３］
前記通信インターフェースは、前記サービングキャリア上で動作している基地局（サービング基地局）を前記非サービングキャリア上で動作している第２の基地局（非サービング基地局）と結合するバックホールリンクへの電子インターフェースを備え、
前記捕捉モジュールは、前記バックホールリンクを介して前記非サービング基地局から前記モビリティ情報のセットを取得する、
［Ｃ１２］に記載の装置。
［Ｃ１４］
前記通信インターフェースは、少なくとも前記非サービングキャリア上でのワイヤレス通信のために構成され、さらに、
前記捕捉モジュールは、前記非サービングキャリア上でのアップリンク送信から前記モビリティ情報のセットを取得するか、または
前記捕捉モジュールは、前記非サービングキャリアを採用するワイヤレスバックホールリンク上で非サービング基地局から前記モビリティ情報のセットを取得する、
［Ｃ１２］に記載の装置。
［Ｃ１５］
前記非サービングキャリア上でのダウンリンク信号のメトリックを計算するために前記モビリティ情報のセットのうちの少なくとも第２のサブセットを採用する計算モジュールをさらに備える、
［Ｃ１２］に記載の装置。
［Ｃ１６］
前記ダウンリンク信号の前記メトリックは、
前記ダウンリンク信号の送信エネルギーを示す送信エネルギーメトリック、
前記ＵＥと前記ダウンリンク信号を送信するエンティティとの間のチャネル利得を示すパスロス、
前記ＵＥにおける前記ダウンリンク信号の受信品質を示す実効ジオメトリメトリック、
前記ＵＥの達成可能なまたはサポートされるデータレートを示す予想データレート、または
前記非サービングキャリア上での制御チャネルの信頼性を示す制御チャネル信頼性メトリック
のうちの少なくとも１つを備える、［Ｃ１５］に記載の装置。
［Ｃ１７］
前記メトリックの計算を可能にするために前記ダウンリンク信号の測定値をサブミットするように前記ＵＥに命令するクエリモジュールをさらに備える、
［Ｃ１５］に記載の装置。
［Ｃ１８］
前記モビリティ情報のセットのうちの前記サブセットは、前記ＵＥにおいてハンドオーバ決定を可能にするために前記ダウンリンク信号の前記メトリックを少なくとも部分的に備える、
［Ｃ１５］に記載の装置。
［Ｃ１９］
前記モビリティ情報のセットのうちの前記サブセットは、非サービングワイヤレスチャネルのメトリックを計算するために前記ＵＥによって採用される前記非サービングキャリアに関係するデータを含み、前記メトリックは、前記非サービングキャリアに関係するモビリティ決定において前記ＵＥによって利用される、
［Ｃ１２］に記載の装置。
［Ｃ２０］
前記ＵＥが前記非サービングキャリアへのハンドオーバを行うべきかどうかを判断するために前記非サービングキャリアのメトリックを採用するモビリティモジュールをさらに備える、
［Ｃ１２］に記載の装置。
［Ｃ２１］
前記モビリティ情報のセットのうちの前記サブセットは、前記非サービングキャリアへの前記ハンドオーバを行うためのオーダーを少なくとも部分的に備える、［Ｃ２０］に記載の装置。
［Ｃ２２］
前記捕捉モジュールは、前記非サービングキャリアに関係するモビリティ情報を周期的に取得し、前記ブロードキャストモジュールは、前記モビリティ情報を前記非サービングキャリアに固有のレートで周期的に送信する、
［Ｃ１２］に記載の装置。
［Ｃ２３］
ワイヤレス通信のために構成された装置であって、
第１のキャリア周波数上で動作している第１の基地局からセル選択データのセットを取得するための手段と、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信するための手段と
を備える装置。
［Ｃ２４］
ワイヤレス通信のために構成された少なくとも１つのプロセッサであって、
第１のキャリア周波数上で動作している第１の基地局からセル選択データのセットを取得するためのモジュールと、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信するためのモジュールと
を備える少なくとも１つのプロセッサ。
［Ｃ２５］
第１のキャリア周波数上で動作している第１の基地局からセル選択データのセットを取得することをコンピュータに行わせるためのコードと、
前記第１のキャリア周波数に関係するキャリア間ハンドオーバ判断を可能にするために、第２の基地局によって採用される第２のキャリア周波数上で動作しているモバイル端末に前記セル選択データのセットのうちの少なくともサブセットを送信することを前記コンピュータに行わせるためのコードと
を備える、コンピュータ可読媒体を備える、
コンピュータプログラム製品。
［Ｃ２６］
ワイヤレス通信の方法であって、
隣接ワイヤレスキャリアに関係するデータのセットを取得することと、
サービングワイヤレスキャリアから前記隣接ワイヤレスキャリアにハンドオーバすべきかどうかを判断することに関連して、モバイルデバイスによって利用される前記サービングワイヤレスキャリアに関係する品質またはパフォーマンス情報を取得するか、あるいはそれを計算するためにデータプロセッサを採用することと
を備える、方法。
［Ｃ２７］
前記品質またはパフォーマンス情報を取得することは、キャリア間情報のために割り当てられた前記サービングワイヤレスキャリア上の所定のチャネルにチューンすることをさらに備える、
［Ｃ２６］に記載の方法。
［Ｃ２８］
前記品質またはパフォーマンス情報を取得することは、前記データのセットのうちの少なくともサブセットを取得するために前記隣接ワイヤレスキャリアにチューンすることをさらに備える、
［Ｃ２６］に記載の方法。
［Ｃ２９］
キャリア間情報のために割り当てられた前記隣接ワイヤレスキャリアの所定のチャネルにチューンすることをさらに備える、
［Ｃ２８］に記載の方法。
［Ｃ３０］
前記隣接ワイヤレスキャリアの前記所定のチャネルにチューンすることは、前記チューンを実行するためのコマンドをサービング基地局から受信することをさらに備える、
［Ｃ２９］に記載の方法。
［Ｃ３１］
少なくとも部分的に、前記サービングワイヤレスキャリアから前記隣接ワイヤレスキャリアへのハンドオーバを行うべきかどうかを判断するために、前記隣接ワイヤレスキャリアに関係する品質またはパフォーマンス情報セットを捕捉するために前記データのセットを採用することをさらに備える、
［Ｃ２６］に記載の方法。
［Ｃ３２］
前記品質またはパフォーマンス情報セットを捕捉するために前記データのセットを採用することは、前記隣接ワイヤレスキャリアに関係する、送信エネルギーメトリック、パスロス、実効ジオメトリ、予想データレートまたは制御チャネル信頼性メトリックを計算することをさらに備える、
［Ｃ３１］に記載の方法。
［Ｃ３３］
前記計算の結果に少なくとも部分的に基づいて前記隣接ワイヤレスキャリアへのハンドオーバを行うべきかどうかを判断することをさらに備える、
［Ｃ３２］に記載の方法。
［Ｃ３４］
前記隣接ワイヤレスキャリアの分析および前記サービングワイヤレスキャリアとの比較のために前記データのセットをサービング基地局にフォワーディングすることをさらに備える、
［Ｃ３１］に記載の方法。
［Ｃ３５］
前記データのセットをフォワーディングすることに応答して前記隣接ワイヤレスキャリアへのハンドオーバを実行するための命令を取得することをさらに備える、
［Ｃ３４］に記載の方法。
［Ｃ３６］
前記データのセットを取得することに関連して、前記データのセットの送信に関連する周期性を採用することをさらに備える、
［Ｃ２６］に記載の方法。
［Ｃ３７］
ワイヤレス通信のために構成された装置であって、
複数のワイヤレスキャリア上でワイヤレス信号を受信するためのワイヤレス通信インターフェースと、
ワイヤレスネットワーク内でキャリア間モビリティを可能にするように構成された命令を記憶するためのメモリと、
前記命令を実装するためにモジュールを実行するためのデータプロセッサと、
を備え、前記モジュールは、
非サービングキャリアに関与するモバイルハンドオーバ決定に関係するセル選択データセットを取得するために、前記ワイヤレス通信インターフェースを捕捉チャネルにチューンさせる捕捉モジュールと、
少なくとも部分的に、サービングキャリアから前記非サービングキャリアへのハンドオーバを実行すべきかどうかを判断するために、前記セル選択データセットを採用する決定モジュールと
を備える、装置。
［Ｃ３８］
前記捕捉モジュールは、前記サービングキャリア上で動作しているサービング基地局からコマンドを受信すると、前記捕捉チャネルにチューンする、
［Ｃ３７］に記載の装置。
［Ｃ３９］
前記捕捉チャネルは、前記サービングキャリア上のサービングチャネルまたは前記非サービングキャリア上の非サービングチャネルである、
［Ｃ３７］に記載の装置。
［Ｃ４０］
前記セル選択データセットは、前記非サービングキャリアのワイヤレスチャネルに関係する条件が満たされた場合、前記非サービングキャリアへの前記ハンドオーバを実行するように前記装置に命令する、サービング基地局からのハンドオーバコマンドを少なくとも部分的に含む、
［Ｃ３７］に記載の装置。
［Ｃ４１］
前記条件が満たされたかどうかを判断するために前記ワイヤレスチャネルの特性を分析する測定モジュールを備え、前記条件が満たされた場合、前記決定モジュールは、前記ハンドオーバを実行することを判断する、
［Ｃ４０］に記載の装置。
［Ｃ４２］
前記ワイヤレスチャネルの前記特性がしきい値を超えた場合、前記条件が満たされ、前記特性は、
前記ワイヤレスチャネルのダウンリンク信号の送信エネルギー、
前記ワイヤレスチャネルのパスロス、
前記ワイヤレスチャネルの実効ジオメトリ、
前記ワイヤレスチャネルの予想データレート、または
前記ワイヤレスチャネルの制御チャネル信頼性、またはそれらの組合せ
のうちの少なくとも１つを備える、［Ｃ４１］に記載の装置。
［Ｃ４３］
前記ワイヤレスチャネルの前記特性は、前記セル選択データセットの一部として指定される、
［Ｃ４１］に記載の装置。
［Ｃ４４］
前記ハンドオーバを実行すべきかどうかを判断することを可能にするために前記セル選択データセットから前記非サービングキャリアの特性を計算する分析モジュールをさらに備え、前記セル選択データセットは、前記非サービングキャリアに関係し、
セルまたはキャリア負荷情報、
電力クラス情報、
限定加入者グループ（ＣＳＧ）情報、
アンカーキャリア情報、
完全または部分セル識別情報、
アップリンク（ＵＬ）またはダウンリンク（ＤＬ）上の、前記非サービングキャリア、またはそのサブバンド、チャネルもしくはハイブリッド自動再送要求インターレース（ＨＡＲＱインターレース）の、番号、または識別子、
前記非サービングキャリア上で典型的なモバイル端末に割り振られるリソースの一部分、
前記非サービングキャリア、またはその前記サブバンド、前記チャネルもしくは前記ＨＡＲＱインターレースの干渉レベル、
前記ＤＬまたは前記ＵＬ上でのデータレート、
サービス品質保証（ＱｏＳ保証）、
バックホール帯域幅、
実効等方放射電力、
最大電力増幅器出力電力、
受信機雑音指数、あるいは
基地局バッテリー電力レベル
のうちの少なくとも１つを備える、［Ｃ３７］に記載の装置。
［Ｃ４５］
前記捕捉チャネルは、パイロットチャネル、制御チャネル、ブロードキャストチャネル、プリアンブルチャネル、データチャネル、またはそれらの組合せを備える、
［Ｃ３７］に記載の装置。
［Ｃ４６］
前記パイロットチャネルが同期チャネルまたはビーコンチャネルを備えること、
前記制御チャネルが物理ダウンリンクチャネルを備えること、
前記ブロードキャストチャネルまたは前記プリアンブルチャネルが物理ブロードキャストチャネルを備えること、あるいは
前記データチャネルが物理ダウンリンク共有チャネルを備えること
のうちの少なくとも１つを備える、［Ｃ４５］に記載の装置。
［Ｃ４７］
前記非サービングキャリアに関連する特定の期間に前記捕捉チャネルにチューンするように前記捕捉モジュールに命令するタイミングモジュールをさらに備える、
［Ｃ３７］に記載の装置。
［Ｃ４８］
ワイヤレス通信のための装置であって、
隣接ワイヤレスキャリアに関係するデータのセットを取得するための手段と、
サービングワイヤレスキャリアに関係する品質またはパフォーマンス情報を取得するための手段と、
前記隣接ワイヤレスキャリアと前記サービングワイヤレスキャリアとの分析に基づいて前記サービングワイヤレスキャリアから前記隣接ワイヤレスキャリアへのハンドオーバを行うための手段と
を備える装置。
［Ｃ４９］
ワイヤレス通信のために構成された少なくとも１つのプロセッサであって、
隣接ワイヤレスキャリアに関係するデータのセットを取得するモジュールと、
モバイルデバイスによって利用されるサービングワイヤレスキャリアに関係する品質またはパフォーマンス情報を生成するモジュールと、
前記サービングワイヤレスキャリアから前記隣接ワイヤレスキャリアにハンドオーバすべきかどうかを判断するモジュールと
を備える、少なくとも１つのプロセッサ。
［Ｃ５０］
隣接ワイヤレスキャリアに関係するデータのセットを取得することをコンピュータに行わせるためのコードと、
モバイルデバイスによって利用されるサービングワイヤレスキャリアに関係する品質またはパフォーマンス情報を生成することを前記コンピュータに行わせるためのコードと、
前記サービングワイヤレスキャリアから前記隣接ワイヤレスキャリアにハンドオーバすべきかどうかを判断することを前記コンピュータに行わせるためのコードと
を備える、コンピュータ可読媒体
を備える、コンピュータプログラム製品。
【外国語明細書】
2014222914000001.pdf